(57)【特許請求の範囲】
【請求項１】
通信のために使用されるフレーム構造を決定することと、前記決定されたフレーム構造が、通信のために使用され得る複数のフレーム構造のうちの１つである、
１つまたは複数のネットワーク状態を決定することと、
ここにおいて、前記フレーム構造が、前記１つまたは複数のネットワーク状態に少なくとも部分的に基づいて決定される、
前記決定されたフレーム構造を使用して装置と通信することと、
前記フレーム構造の１つまたは複数のサブフレーム中で前記装置と通信することより前にクリアチャネルアセスメントを実施することと、
前記複数のフレーム構造のうちの最も短い長さのフレーム構造に少なくとも部分的に基づいてクリアチャネルアセスメント（ＣＣＡ）周期性を決定することと、
を備え、
前記複数のフレーム構造の各々が異なるフレーム持続時間を有し、前記複数のフレーム構造の各々がダウンリンクサブフレームの異なる構成を有することを特徴とする、ワイヤレス通信のための方法。
【請求項２】
通信のために使用されるフレーム構造を決定することと、前記決定されたフレーム構造が、通信のために使用され得る複数のフレーム構造のうちの１つである、
１つまたは複数のネットワーク状態を決定することと、
ここにおいて、前記フレーム構造が、前記１つまたは複数のネットワーク状態に少なくとも部分的に基づいて決定される、
前記決定されたフレーム構造を使用して装置と通信することと、
前記フレーム構造の１つまたは複数のサブフレーム中で前記装置と通信することより前にクリアチャネルアセスメントを実施することと、
クリアチャネルアセスメント（ＣＣＡ）周期性を決定することと、ここにおいて、前記決定されたＣＣＡ周期性が前記装置のＣＣＡ周期性とは異なる、
を備え、
前記複数のフレーム構造の各々が異なるフレーム持続時間を有し、前記複数のフレーム構造の各々がダウンリンクサブフレームの異なる構成を有することを特徴とする、ワイヤレス通信のための方法。
【請求項３】
前記１つまたは複数のネットワーク状態に少なくとも部分的に基づいて前記フレーム構造のサブフレーム構成を構成することをさらに備える、請求項１又は２に記載の方法。
【請求項４】
前記１つまたは複数のネットワーク状態が、ネットワークトラフィック状態、干渉状態、またはレーダー検出のうちの少なくとも１つを備える、請求項１又は２に記載の方法。
【請求項５】
前記フレーム構造の１つまたは複数のサブフレーム中で前記装置と通信することより前に送信パーミッションを決定することをさらに備える、請求項１又は２に記載の方法。
【請求項６】
前記クリアチャネルアセスメントがフレーム境界からのオフセット値に基づいて実施され、異なる送信エンティティに異なる優先度を与えるために異なるオフセット値が割り当てられる、請求項１又は２に記載の方法。
【請求項７】
前記決定されたフレーム構造の指示を前記装置に通信することをさらに備える、請求項１又は２に記載の方法。
【請求項８】
前記指示が、クリアチャネルアセスメントを免除された送信、共通制御信号、または１次コンポーネントキャリアのうちの少なくとも１つを介して通信される、請求項７に記載の方法。
【請求項９】
前記フレーム構造の１つまたは複数のサブフレーム中で前記装置からフィードバックを受信することまたは前記装置にフィードバックを送信することをさらに備え、ここにおいて、前記１つまたは複数のサブフレームが、
参照サブフレーム構成におけるサブフレームと同じアップリンクまたはダウンリンク方向を有するサブフレームと、
複数の利用可能なサブフレーム構成の各々においてアンカーサブフレームとして指定されるサブフレームと
のうちの少なくとも１つを備える、請求項１又は２に記載の方法。
【請求項１０】
前記装置が基地局を備え、
前記決定が、前記基地局から受信されたシグナリングに基づく、請求項１又は２に記載の方法。
【請求項１１】
請求項１乃至１０のいずれか１項の方法のステップを実施するための手段を備える、ワイヤレス通信のための装置。
【請求項１２】
プロセッサによって実行されたとき、請求項１乃至１０のいずれか１項の方法のステップを実施する命令を備える、ワイヤレス通信のためのコンピュータ実行可能コードを記憶したコンピュータ可読記録媒体。
【発明の詳細な説明】
【技術分野】
【０００１】
関連出願の相互参照
[0001]本特許出願は、本出願の譲受人に譲渡され、その全体が参照により本明細書に明確に組み込まれる、２０１３年９月２７日に出願された米国仮出願第６１／８８３，９５８号の優先権を主張する。
【０００２】
[0002]本開示は、一般にワイヤレス通信に関し、より詳細には、無認可無線周波数スペクトルを使用してワイヤレス通信のために適応フレーム構造を構成するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかのｅノードＢを含み得る。ＵＥは、ダウンリンクおよびアップリンクを介してｅノードＢと通信し得る。ダウンリンク（または順方向リンク）はｅノードＢからＵＥへの通信リンクを指し、アップリンク（または逆方向リンク）はＵＥからｅノードＢへの通信リンクを指す。
【０００５】
[0005]モバイルブロードバンドアクセスに対する需要が高まり続けるにつれて、モバイルブロードバンドアクセスに対する増大する需要を満たすためだけでなく、モバイル通信のユーザエクスペリエンスを進化および向上させるためにも、無認可無線周波数スペクトルにおいてＬＴＥ（登録商標）を使用することは、将来のワイヤレスニーズのためにスペクトル輻輳問題を解決すると考えられている。しかしながら、無認可無線周波数スペクトルは、無認可無線周波数スペクトルへのアクセスを獲得するためにリッスンビフォアトーク（ＬＢＴ：listen before talk）手順（たとえば、クリアチャネルアセスメント（ＣＣＡ：clear channel assessment））などの技法を必要とする、他の送信を搬送し得る。これらの技法は、現在の無線フレームフォーマットを使用するときに課題を提示する。
【発明の概要】
【０００６】
[0006]本明細書では、無認可無線周波数スペクトルを使用してロングタームエボリューション（ＬＴＥ）システムのために適応フレーム構造を構成するための技法について説明する。
【０００７】
[0007]一態様によれば、基地局（ＢＳ）によるワイヤレス通信のための方法が開示される。本方法は、１つまたは複数のネットワーク状態を決定することと、１つまたは複数のネットワーク状態に少なくとも部分的に基づいてデータ通信のために使用される複数のフレーム構造からフレーム構造を決定することと、ここにおいて、複数のフレーム構造の各々が異なるフレーム持続時間を有する、および決定されたフレーム構造を使用してユーザ機器（ＵＥ）と通信することとを概して含む。
【０００８】
[0008]一態様によれば、ユーザ機器（ＵＥ）によるワイヤレス通信のための方法が開示される。本方法は、データ通信のために使用される複数のフレーム構造からフレーム構造を決定することと、ここにおいて、複数のフレーム構造の各々が異なるフレーム持続時間を有する、および決定されたフレーム構造を使用して基地局（ＢＳ）と通信することとを概して含む。
【０００９】
[0009]一態様によれば、ワイヤレス通信のための方法。本方法は、データ通信のために使用される複数のフレーム構造からフレーム構造を決定することと、ここにおいて、複数のフレーム構造の各々が異なるフレーム持続時間を有する、および決定されたフレーム構造を使用して装置と通信することとを概して含む。
【００１０】
[0010]一態様によれば、ワイヤレス通信のための装置が開示される。本装置は、１つまたは複数のネットワーク状態を決定することと、１つまたは複数のネットワーク状態に少なくとも部分的に基づいてデータ通信のために使用される複数のフレーム構造からフレーム構造を決定することと、ここにおいて、複数のフレーム構造の各々が異なるフレーム持続時間を有する、および決定されたフレーム構造を使用してユーザ機器（ＵＥ）と通信することとを行うように構成されたプロセッサと、プロセッサに結合されたメモリとを概して含む。
【００１１】
[0011]一態様によれば、ワイヤレス通信のための装置が開示される。本装置は、データ通信のために使用される複数のフレーム構造からフレーム構造を決定することと、ここにおいて、複数のフレーム構造の各々が異なるフレーム持続時間を有する、および決定されたフレーム構造を使用して基地局（ＢＳ）と通信することとを行うように構成されたプロセッサと、プロセッサに結合されたメモリとを概して含む。
【００１２】
[0012]一態様によれば、ワイヤレス通信のための装置が開示される。本装置は、データ通信のために使用される複数のフレーム構造からフレーム構造を決定することと、ここにおいて、複数のフレーム構造の各々が異なるフレーム持続時間を有する、および決定されたフレーム構造を使用して他の装置と通信することとを行うように構成されたプロセッサと、プロセッサに結合されたメモリとを概して含む。
【００１３】
[0013]本開示の様々な態様および特徴について、添付の図面に示されているそれらの様々な例に関して以下でさらに詳細に説明する。本開示について様々な例に関して以下で説明するが、本開示はそれらに限定されないことを理解されたい。本明細書の教示へのアクセスを有する当業者は、本明細書で説明する本開示の範囲内にあり、本開示がそれらに関して著しく有意な有用であり得る、追加の実装形態、変更形態、および例、ならびに他の使用分野を認識されよう。
【００１４】
[0014]本開示のより完全な理解を可能にするために、次に添付の図面を参照し、そこでは、同様の数字を用いて同様の要素が参照される。これらの図面は、本開示を限定するものとして解釈されるべきではなく、例示的にすぎないものである。
【図面の簡単な説明】
【００１５】
【図１】[0015]本開示の一態様による電気通信システムの一例を概念的に示すブロック図。
【図２】[0016]本開示の一態様による電気通信システムにおけるダウンリンクフレーム構造の一例を概念的に示すブロック図。
【図３】[0017]本開示の一態様に従って構成された例示的なｅノードＢと例示的なＵＥとを概念的に示すブロック図。
【図４】[0018]本開示の態様による、様々な例示的なサブフレームリソース要素マッピングを示す図。
【図５】[0019]本開示の態様による、連続キャリアアグリゲーションタイプを示す図。
【図６】[0020]本開示の態様による、非連続キャリアアグリゲーションタイプを示す図。
【図７】[0021]本開示の態様による、アップリンク／ダウンリンクサブフレーム構成のリストを示す図。
【図８】[0022]本開示の態様による、複数のセルにおけるアップリンク送信とダウンリンク送信との間の干渉の一例を示す図。
【図９】[0023]本開示の態様による、アンカーサブフレームと非アンカーサブフレームとを有する様々なアップリンクダウンリンクサブフレーム構成を示す図。
【図１０】[0024]本開示の態様による、ワイヤレス通信デバイスによって実施され得る例示的な動作を示す図。
【図１１】[0025]本開示のいくつかの態様による、基地局（ＢＳ）によって実施され得る例示的な動作を示す図。
【図１２】[0026]本開示の態様による、様々な適応フレーム構造の一例を示す図。
【図１３】[0027]本開示のいくつかの態様による、ユーザ機器（ＵＥ）によって実施され得る例示的な動作を示す図。
【図１４】[0028]本開示の態様による、送信するパーミッションをもつリアルＣＣＡと、送信するパーミッションをもたない仮想ＣＣＡとを利用する例示的な適応ダウンリンクフレーム構造を示す。
【図１５】[0029]本開示の態様による、異なるアップリンクＣＣＡ周期性とダウンリンクＣＣＡ周期性とを有する例示的な適応アップリンクフレーム構造を示す図。
【図１６】[0030]本開示の態様による、フレーム構造変化の様々なシグナリング指示をもつ例示的な適応フレーム構造を示す図。
【図１７】[0031]本開示の態様による、無認可帯域幅にわたるＬＴＥのための例示的なアンカーサブフレームおよび参照サブフレーム構成を示す図。
【図１８】[0032]本開示の態様による、無認可無線周波数スペクトルにわたるスタンドアロン（ＳＡ）ＬＴＥのための例示的な構成を示す図。
【図１９】[0033]本開示の態様による、可変ＣＣＡ周期性をもつ無認可無線周波数スペクトルにわたるスタンドアロン（ＳＡ）ＬＴＥのための例示的な構成を示す図。
【図２０】[0034]様々な実施形態によるＵＥアーキテクチャの一例を示すブロック図。
【図２１】[0035]様々な実施形態による基地局アーキテクチャの一例を示すブロック図。
【発明を実施するための形態】
【００１６】
[0036]ワイヤレス通信サービスに対する需要は増大し続けている。ネットワーク事業者は、多くのエリアにおいて既存の認可無線周波数スペクトルを用いてこの需要を満たすのに困難に直面する。無認可無線周波数スペクトルにおいてＬＴＥを実装することは、将来のワイヤレス需要のために認可無線周波数スペクトル輻輳問題を緩和するのを助け得る。無認可無線周波数スペクトルにおいてＬＴＥ通信を実装するための修正は、無認可無線周波数スペクトルへのアクセスを獲得するために、たとえば、リッスンビフォアトーク（ＬＢＴ）手順（たとえば、クリアチャネルアセスメント（ＣＣＡ））の実装を伴い得る。無認可無線周波数スペクトルにおいてＬＴＥ通信を実装するための修正はまた、（たとえば、認可無線周波数スペクトルにおけるＬＴＥフレームフォーマットよりも短いフレームフォーマットを選択することによる）フレームフォーマットの改変を含み得る。たとえば、ワイヤレス通信は、２ｍｓ、５ｍｓまたは１０ｍｓの無線フレーム持続時間から選択される適応フレーム構造を有し得る。
【００１７】
[0037]本開示の態様は、無認可無線周波数スペクトルを使用してワイヤレス通信のために適応フレーム構造を構成するための技法を提供する。たとえば、そのような技法は、ワイヤレス通信が無認可無線周波数スペクトルを使用して（たとえば、変動する無線フレーム持続時間をもつ）適応フレーム構造を有することを可能にし得る。
【００１８】
[0038]添付の図面に関して以下に記載されている詳細な説明は、様々な構成を説明するものであり、本明細書で説明する概念が実施され得る唯一の構成を表すものではない。詳細な説明は、様々な概念の完全な理解を提供する目的で具体的詳細を含む。しかしながら、これらの概念はこれらの具体的な詳細なしに実施され得ることが、当業者には明らかであろう。いくつかの例では、そのような概念を不明瞭にしないように、よく知られている構造および構成要素はブロック図の形態で示される。
【００１９】
[0039]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、広帯域ＣＤＭＡ（ＷＣＤＭＡ（登録商標））とＣＤＭＡの他の変形態とを含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ（登録商標））と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明する技法は、上述のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００２０】
[0040]次に、様々な装置および方法に関して電気通信システムのいくつかの態様が提示される。これらの装置および方法は、以下の詳細な説明において説明され、（「要素」と総称される）様々なブロック、モジュール、構成要素、回路、ステップ、プロセス、アルゴリズムなどによって添付の図面に示される。これらの要素は、ハードウェア、ソフトウェア、またはそれらの組合せを使用して実装され得る。そのような要素がハードウェアとして実装されるか、ソフトウェアとして実装されるかは、特定の適用例および全体的なシステムに課された設計制約に依存する。
【００２１】
[0041]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム中の１つまたは複数のプロセッサがソフトウェアを実行し得る。ソフトウェアは、ソフトウェア／ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数などを意味すると広く解釈されたい。
【００２２】
[0042]したがって、１つまたは複数の例示的な実施形態では、説明する機能は、ハードウェア、ソフトウェア、またはそれらの組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＰＣＭ（相変化メモリ）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、ディスク（disc）は、データをレーザーで光学的に再生する。上記の組合せもコンピュータ可読媒体の範囲内に含まれるべきである。
【００２３】
[0043]図１は、本開示の態様が実施され得る電気通信ネットワークシステム１００の一例を概念的に示すブロック図である。たとえば、電気通信ネットワークシステム１００はＬＴＥネットワークであり得る。電気通信ネットワークシステム１００は、いくつかの発展型ノードＢ（ｅノードＢ）１１０と、ユーザ機器（ＵＥ）１２０と、他のネットワークエンティティとを含み得る。ｅノードＢ１１０は、ＵＥ１２０と通信する局であり得、基地局、アクセスポイントなどと呼ばれることもある。ノードＢは、ＵＥ１２０と通信する局の別の例である。ｅノードＢまたはノードＢは、本開示の態様に従って、図１１に記載された動作１１００を実施し得る。同様に、ＵＥは、本開示の態様に従って、図１３に記載された動作１３００を実施し得る。
【００２４】
[0044]各ｅノードＢ１１０は、特定の地理的エリアに通信カバレージを与え得る。３ＧＰＰでは、「セル」という用語は、この用語が使用されるコンテキストに応じて、ｅノードＢ１１０のカバレージエリアおよび／またはこのカバレージエリアをサービスしているｅノードＢサブシステムを指すことがある。
【００２５】
[0045]ｅノード１１０は、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥ１２０による無制限アクセスを可能にし得る。ピコセルは、比較的小さい地理的エリアをカバーし得、サービスに加入しているＵＥ１２０による無制限アクセスを可能にし得る。フェムトセルは、比較的小さい地理的エリア（たとえば、自宅）をカバーし得、フェムトセルとの関連付けを有するＵＥ１２０（たとえば、ＵＥ１２０は限定加入者グループ（ＣＳＧ：Closed Subscriber Group）に加入し得、自宅内のユーザのためのＵＥ１２０など）による制限付きアクセスを可能にし得る。マクロセルのためのｅノードＢ１１０はマクロｅノードＢと呼ばれることがある。ピコセルのためのｅノードＢ１１０はピコｅノードＢと呼ばれることがある。フェムトセルのためのｅノードＢ１１０はフェムトｅノードＢまたはホームｅノードＢと呼ばれることがある。図１に示された例では、ｅノードＢ１１０ａ、１１０ｂおよび１１０ｃは、それぞれマクロセル１０２ａ、１０２ｂおよび１０２ｃのためのマクロｅノードＢであり得る。ｅＮｏｄｅＢ１１０ｘはピコセル１０２ｘのためのピコｅＮｏｄｅＢであり得る。ｅＮｏｄｅＢ１１０ｙおよび１１０ｚは、それぞれフェムトセル１０２ｙおよび１０２ｚのためのフェムトｅＮｏｄｅＢであり得る。ｅノードＢ１１０は、１つまたは複数（たとえば、３つ）のセルに通信カバレージを与え得る。
【００２６】
[0046]電気通信ネットワークシステム１００は、リレーｅノードＢ、リレーなどと呼ばれることもある、１つまたは複数のリレー局１１０ｒおよび１２０ｒを含み得る。リレー局１１０ｒは、上流局（たとえば、ｅノードＢ１１０またはＵＥ１２０）からデータおよび／または他の情報の送信を受信し、データおよび／または他の情報の受信された送信を下流局（たとえば、ＵＥ１２０またはｅノードＢ１１０）に送る局であり得る。リレー局１２０ｒは、他のＵＥ（図示せず）に対する送信を中継するＵＥであり得る。図１に示された例では、リレー局１１０ｒは、ｅノードＢ１１０ａとＵＥ１２０ｒとの間の通信を可能にするために、ｅノードＢ１１０ａおよびＵＥ１２０ｒと通信し得る。リレー局１１０ｒおよび１２０ｒは、本開示の態様に従って、図１１に記載された動作１１００、および／または図１３に記載された動作１３００を実施し得る。
【００２７】
[0047]電気通信ネットワークシステム１００は、異なるタイプのｅノードＢ１１０、たとえば、マクロｅノードＢ１１０ａ〜ｃ、ピコｅノードＢ１１０ｘ、フェムトｅノードＢ１１０ｙ〜ｚ、リレー局１１０ｒなどを含む異種ネットワークであり得る。これらの異なるタイプのｅノードＢ１１０は、電気通信ネットワークシステム１００において異なる送信電力レベル、異なるカバレージエリア、および干渉に対する異なる影響を有し得る。たとえば、マクロｅノードＢ１１０ａ〜ｃは、高い送信電力レベル（たとえば、２０ワット）を有し得るが、ピコｅノードＢ１１０ｘ、フェムトｅノードＢ１１０ｙ〜ｚおよびリレー１１０ｒは、より低い送信電力レベル（たとえば、１ワット）を有し得る。
【００２８】
[0048]電気通信ネットワークシステム１００は同期動作または非同期動作をサポートし得る。同期動作の場合、ｅノードＢ１１０は同様のフレームタイミングを有し得、異なるｅノードＢ１１０からの送信は近似的に時間的に整合され得る。非同期動作の場合、ｅノードＢ１１０は異なるフレームタイミングを有し得、異なるｅノードＢ１１０からの送信は時間的に整合されないことがある。本明細書で説明する技法は、同期動作と非同期動作の両方に使用され得る。
【００２９】
[0049]ネットワークコントローラ１３０は、ｅノードＢ１１０のセットに結合され、これらのｅノードＢ１１０の協調および制御を行い得る。ネットワークコントローラ１３０は、バックホール（図示せず）を介してｅノードＢ１１０と通信し得る。ｅノードＢ１１０はまた、たとえば、ワイヤレスまたはワイヤラインバックホール（たとえば、Ｘ２インターフェース）（図示せず）を介して直接または間接的に、互いに通信し得る。
【００３０】
[0050]ＵＥ１２０（たとえば、１２０ｘ、１２０ｙなど）は電気通信ネットワークシステム１００全体にわたって分散され得、各ＵＥ１２０は固定または移動であり得る。たとえば、ＵＥ１２０は、端末、移動局、加入者ユニット、局などと呼ばれることもある。別の例では、ＵＥ１２０は、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥ１２０は、マクロｅノードＢ１１０ａ〜ｃ、ピコｅノードＢ１１０ｘ、フェムトｅノードＢ１１０ｙ〜ｚ、リレー１１０ｒなどと通信することが可能であり得る。たとえば、図１において、両矢印付きの実線は、ダウンリンクおよび／またはアップリンク上での、ＵＥ１２０と、そのＵＥ１２０をサービスするように指定されたｅノードＢ１１０であるサービングｅノードＢ１１０との間の所望の送信を示し得る。両矢印付きの破線は、ＵＥ１２０とｅノードＢ１１０との間の干渉送信を示し得る。
【００３１】
[0051]ＬＴＥは、ダウンリンク上で直交周波数分割多重化（ＯＦＤＭ）を利用し、アップリンク上でシングルキャリア周波数分割多重化（ＳＣ−ＦＤＭ）を利用し得る。ＯＦＤＭおよびＳＣ−ＦＤＭは、システム帯域幅を、一般にトーン、ビンなどとも呼ばれる複数（Ｋ）個の直交サブキャリアに区分し得る。各サブキャリアはデータで変調され得る。概して、変調シンボルは、ＯＦＤＭでは周波数領域で、ＳＣ−ＦＤＭでは時間領域で送られ得る。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称高速フーリエ変換（ＦＦＴ）サイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はサブバンドに区分され得る。たとえば、サブバンドは１．０８ＭＨｚ（すなわち、６つのリソースブロック）をカバーし得、１．２５、２．５、５、１０、または２０ＭＨｚのシステム帯域幅に対してそれぞれ１、２、４、８、または１６個のサブバンドがあり得る。
【００３２】
[0052]図２は、本開示の一態様による電気通信システムにおけるダウンリンクフレーム構造の一例を概念的に示すブロック図である。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスを有する２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合（図示せず）は６つのシンボル期間を含み得る。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３３】
[0053]ＬＴＥでは、たとえば、ｅノードＢは、ｅノードＢのカバレージエリア中の各セルについて１次同期信号（ＰＳＳ：primary synchronization signal）と２次同期信号（ＳＳＳ：secondary synchronization signal）とを送り得る。１次同期信号（ＰＳＳ）および２次同期信号（ＳＳＳ）は、図２に示されているように、それぞれ、ノーマルサイクリックプレフィックスをもつ各無線フレームのサブフレーム０および５の各々中のシンボル期間６および５中で送られ得る。同期信号は、セル検出および収集のためにＵＥによって使用され得る。ｅノードＢは、サブフレーム０のスロット１のシンボル期間０〜３中の物理ブロードキャストチャネル（ＰＢＣＨ）中でシステム情報を送り得る。
【００３４】
[0054]ｅノードＢは、図２の第１のシンボル期間全体において示されているが、各サブフレームの第１のシンボル期間の一部のみの中の物理制御フォーマットインジケータチャネル（ＰＣＦＩＣＨ）中で情報を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である小さいシステム帯域幅では、４に等しくなり得る。図２に示された例では、Ｍ＝３である。ｅノードＢは、各サブフレームの最初のＭ個（図２ではＭ＝３）のシンボル期間中の物理ＨＡＲＱインジケータチャネル（ＰＨＩＣＨ）と物理ダウンリンク制御チャネル（ＰＤＣＣＨ）との中で情報を送り得る。ＰＨＩＣＨは、ハイブリッド自動再送信（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間中には示されていないが、ＰＤＣＣＨおよびＰＨＩＣＨは第１のシンボル期間中にも含まれることを理解されよう。同様に、ＰＨＩＣＨおよびＰＤＣＣＨはまた、第２のシンボル期間と第３のシンボル期間の両方の中にあるが、図２ではそのように示されていない。ｅノードＢは、各サブフレームの残りのシンボル期間中に物理ダウンリンク共有チャネル（ＰＤＳＣＨ）中で情報を送り得る。ＰＤＳＣＨは、ダウンリンク上でのデータ送信がスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ３６．２１１に記載されている。
【００３５】
[0055]ｅノードＢは、ｅノードＢによって使用されるシステム帯域幅の中心１．０８ＭＨｚの周りにＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、カバレージエリア中のすべてのＵＥにブロードキャスト方式でＰＳＳ、ＳＳＳ、ＰＢＣＨ、ＰＣＦＩＣＨおよびＰＨＩＣＨを送り得る。ｅノードＢは、カバレージエリア中の特定のＵＥにユニキャスト方式でＰＤＣＣＨを送り得る。ｅノードＢはまた、カバレージエリア中の特定のＵＥにユニキャスト方式でＰＤＳＣＨを送り得る。
【００３６】
[0056]各シンボル期間において、いくつかのリソース要素が利用可能であり得る。各リソース要素は、１つのシンボル期間中に１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ）中に配置され得る。各ＲＥＧは、１つのシンボル期間中に４つのリソース要素を含み得る。ＰＣＦＩＣＨは、シンボル期間０中に、周波数にわたってほぼ等しく離間され得る、４つのＲＥＧを占有し得る。ＰＨＩＣＨは、１つまたは複数の構成可能なシンボル期間中に、周波数にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、最初のＭ個のシンボル期間中に、利用可能なＲＥＧから選択され得る、９、１８、３２または６４個のＲＥＧを占有し得る。ＲＥＧのいくつかの組合せのみがＰＤＣＣＨに対して許され得る。
【００３７】
[0057]ＵＥは、ＰＨＩＣＨとＰＣＦＩＣＨとのために使用される特定のＲＥＧを知り得る。ＵＥは、ＰＤＣＣＨについてＲＥＧの様々な組合せを探索し得る。探索すべき組合せの数は、一般に、ＰＤＣＣＨに対して可能にされる組合せの数よりも少ない。ｅノードＢは、ＵＥが探索することになる組合せのいずれかにおいてＵＥにＰＤＣＣＨを送り得る。
【００３８】
[0058]ＵＥは、複数のｅノードＢのカバレージエリア内にあり得る。そのＵＥをサービングするために、これらのｅＮｏｄｅＢのうちの１つが選択され得る。サービングｅノードＢは、受信電力、経路損失、信号対雑音比（ＳＮＲ）など、様々な基準に基づいて選択され得る。
【００３９】
[0059]図３は、本開示の一態様に従って構成された例示的なｅノードＢ３１０と例示的なＵＥ３５０とを概念的に示すブロック図である。たとえば、図３に示されている基地局／ｅノードＢ３１０およびＵＥ３５０は、図１の基地局／ｅノードＢ１１０のうちの１つおよびＵＥ１２０のうちの１つであり得る。基地局３１０はアンテナ３３４1〜tを装備し得、ＵＥ３５０はアンテナ３５２1〜rを装備し得、ここにおいて、ｔおよびｒは１以上の整数である。
【００４０】
[0060]基地局３１０において、基地局送信プロセッサ３２０は、基地局データソース３１２からデータを受信し、基地局コントローラ／プロセッサ３４０から制御情報を受信し得る。制御情報は、ＰＢＣＨ、ＰＣＦＩＣＨ、ＰＨＩＣＨ、ＰＤＣＣＨなどの上で搬送され得る。データは、ＰＤＳＣＨなどの上で搬送され得る。基地局送信プロセッサ３２０は、データと制御情報とを処理（たとえば、符号化およびシンボルマッピング）して、それぞれデータシンボルと制御シンボルとを取得し得る。基地局送信プロセッサ３２０はまた、たとえば、ＰＳＳ、ＳＳＳ、およびセル固有基準信号（ＲＳ：reference signal）のための基準シンボルを生成し得る。基地局送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実施し得、出力シンボルストリームを基地局変調器／復調器（ＭＯＤ／ＤＥＭＯＤ）３３２1〜tに与え得る。各基地局ＭＯＤ／ＤＥＭＯＤ３３２は、（たとえば、ＯＦＤＭなどのために）それぞれの出力シンボルストリームを処理して、出力サンプルストリームを取得し得る。各基地局変調器／復調器３３２は、出力サンプルストリームをさらに処理（たとえば、アナログへの変換、増幅、フィルタ処理、およびアップコンバート）して、ダウンリンク信号を取得し得る。変調器／復調器３３２1〜tからのダウンリンク信号は、それぞれアンテナ３３４1〜tを介して送信され得る。
【００４１】
[0061]ＵＥ３５０において、ＵＥアンテナ３５２1〜rは、基地局３１０からダウンリンク信号を受信し得、受信信号をそれぞれＵＥ変調器／復調器（ＭＯＤ／ＤＥＭＯＤ）３５４1〜rに与え得る。各ＵＥ  ＭＯＤ／ＤＥＭＯＤ３５４は、それぞれの受信信号を調整（たとえば、フィルタ処理、増幅、ダウンコンバート、およびデジタル化）して、入力サンプルを取得し得る。各ＵＥ変調器／復調器３５４は、（たとえば、ＯＦＤＭなどのために）入力サンプルをさらに処理して、受信シンボルを取得し得る。ＵＥ  ＭＩＭＯ検出器３５６は、すべてのＵＥ変調器／復調器３５４1〜rから受信シンボルを取得し、適用可能な場合は受信シンボルに対してＭＩＭＯ検出を実施し、検出シンボルを与え得る。ＵＥ受信プロセッサ３５８は、検出シンボルを処理（たとえば、復調、デインターリーブ、および復号）し、ＵＥ３５０の復号されたデータをＵＥデータシンク３６０に与え、復号された制御情報をＵＥコントローラ／プロセッサ３８０に与え得る。
【００４２】
[0062]アップリンク上では、ＵＥ３５０において、ＵＥ送信プロセッサ３６４は、ＵＥデータソース３６２から（たとえば、ＰＵＳＣＨのための）データを受信し、処理し得、ＵＥコントローラ／プロセッサ３８０から（たとえば、ＰＵＣＣＨのための）制御情報を受信し、処理し得る。ＵＥ送信プロセッサ３６４はまた、基準信号のための基準シンボルを生成し得る。ＵＥ送信プロセッサ３６４からのシンボルは、適用可能な場合はＵＥ  ＴＸ  ＭＩＭＯプロセッサ３６６によってプリコーディングされ、（たとえば、ＳＣ−ＦＤＭなどのために）ＵＥ変調器／復調器３５４1〜rによってさらに処理され、基地局３１０に送信され得る。基地局３１０において、ＵＥ３５０からのアップリンク信号は、基地局アンテナ３３４によって受信され、基地局変調器／復調器３３２によって処理され、適用可能な場合は基地局ＭＩＭＯ検出器３３６によって検出され、基地局受信プロセッサ３３８によってさらに処理されて、ＵＥ３５０によって送られた復号されたデータと制御情報とが取得され得る。基地局受信プロセッサ３３８は、復号されたデータを基地局データシンク３４６に与え、復号された制御情報を基地局コントローラ／プロセッサ３４０に与え得る。
【００４３】
[0063]基地局コントローラ／プロセッサ３４０およびＵＥコントローラ／プロセッサ３８０は、それぞれ基地局３１０における動作およびＵＥ３５０における動作を指示し得る。基地局３１０における基地局コントローラ／プロセッサ３４０および／または他のプロセッサおよびモジュールは、たとえば、本明細書で説明する技法のための様々なプロセスを実施するか、またはその実行を指示し得る。たとえば、基地局コントローラ／プロセッサ３４０は、図１１に記載された動作１１００を実施または指示し得る。ＵＥ３５０におけるＵＥコントローラ／プロセッサ３８０および／または他のプロセッサおよびモジュールはまた、たとえば、図１３に記載された動作１３００、および／または本明細書で説明する技法のための他のプロセスを実施するか、またはその実行を指示し得る。基地局メモリ３４２およびＵＥメモリ３８２は、それぞれ基地局３１０およびＵＥ３５０のためのデータおよびプログラムコードを記憶し得る。スケジューラ３４４は、ダウンリンクおよび／またはアップリンク上でのデータ送信のためにＵＥ３５０をスケジュールし得る。
【００４４】
[0064]一構成では、基地局３１０は、アップリンク（ＵＬ）送信またはダウンリンク（ＤＬ）送信のうちの少なくとも１つについてのコンパクトなダウンリンク制御情報（ＤＣＩ）を生成するための手段と、ここにおいて、コンパクトＤＣＩが、いくつかの標準ＤＣＩフォーマットと比較して低減されたビット数を備える、およびＤＣＩを送信するための手段とを含み得る。一態様では、上述の手段は、上述の手段によって具陳される機能を実施するように構成された、基地局コントローラ／プロセッサ３４０、基地局メモリ３４２、基地局送信プロセッサ３２０、基地局変調器／復調器３３２、および基地局アンテナ３３４であり得る。別の態様では、上述の手段は、上述の手段によって具陳される機能を実施するように構成されたモジュールまたは任意の装置であり得る。一構成では、ＵＥ３５０は、アップリンク（ＵＬ）送信またはダウンリンク（ＤＬ）送信のうちの少なくとも１つについてのコンパクトなダウンリンク制御情報（ＤＣＩ）を受信するための手段と、ここにおいて、ＤＣＩが、標準ＤＣＩフォーマットの低減されたビット数を備える、およびＤＣＩを処理するための手段とを含み得る。一態様では、上述の手段は、上述の手段によって具陳される機能を実施するように構成された、ＵＥコントローラ／プロセッサ３８０、ＵＥメモリ３８２、ＵＥ受信プロセッサ３５８、ＵＥ  ＭＩＭＯ検出器３５６、ＵＥ変調器／復調器３５４、およびＵＥアンテナ３５２であり得る。別の態様では、上述の手段は、上述の手段によって具陳される機能を実施するように構成されたモジュールまたは任意の装置であり得る。
【００４５】
[0065]図４は、本開示の一態様による、様々な例示的なサブフレームリソース要素マッピングを示す。たとえば、図４は、ノーマルサイクリックプレフィックスを用いたダウンリンクのための２つの例示的なサブフレームフォーマット４１０および４２０を示している。ダウンリンクのための利用可能な時間周波数リソースはリソースブロックに区分され得る。各リソースブロックは、１つのスロット中に１２個のサブキャリアを含み得、いくつかのリソース要素を含み得る。各リソース要素は、１つのシンボル期間中の１つのサブキャリアに対応し得、実数値または複素数値であり得る１つの変調シンボルを送るために使用され得る。
【００４６】
[0066]サブフレームフォーマット４１０は、２つのアンテナを装備したｅノードＢのために使用され得る。共通基準信号（ＣＲＳ：common reference signal）が、シンボル期間０、４、７および１１中にアンテナ０および１から送信され得る。共通基準信号（ＣＲＳ）は、送信機と受信機とによってアプリオリに知られる信号であり、パイロット信号と呼ばれることもある。共通基準信号（ＣＲＳ）は、たとえば、セル識別情報（ＩＤ）に基づいて生成される、セルに固有の基準信号であり得る。図４では、ラベルＲａを有する所与のリソース要素に関して、アンテナａからはそのリソース要素上で変調シンボルが送信され得、他のアンテナからはそのリソース要素上で変調シンボルが送信されないことがある。サブフレームフォーマット４２０は、４つのアンテナを装備したｅノードＢのために使用され得る。共通基準信号（ＣＲＳ）は、シンボル期間０、４、７および１１中にアンテナ０および１から送信され得、シンボル期間１および８中にアンテナ２および３から送信され得る。サブフレームフォーマット４１０とサブフレームフォーマット４２０の両方に関して、ＣＲＳは、セルＩＤに基づいて決定され得る、均等に離間したサブキャリア上で送信され得る。異なるｅＮＢは、それらのセルＩＤに応じて、同じまたは異なるサブキャリア上でそれらのＣＲＳを送信し得る。サブフレームフォーマット４１０とサブフレームフォーマット４２０の両方に関して、ＣＲＳに使用されないリソース要素は、データ（たとえば、トラフィックデータ、制御データ、および／または他のデータ）を送信するために使用され得る。
【００４７】
[0067]ＬＴＥにおけるＰＳＳ、ＳＳＳ、ＣＲＳおよびＰＢＣＨは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ３６．２１１に記載されている。
【００４８】
[0068]通信ネットワーク（たとえば、ＬＴＥネットワーク）におけるＦＤＤのためのダウンリンクとアップリンクとの各々のためにインターレース構造が使用され得る。たとえば、０〜Ｑ−１のインデックスをもつＱ個のインターレースが定義され得、ここで、Ｑは、４、６、８、１０、または何らかの他の値に等しくなり得る。各インターレースは、Ｑ個のサブフレームだけ離間され得るサブフレームを含み得る。特に、インターレースｑは、サブフレームｑ、ｑ＋Ｑ、ｑ＋２Ｑなどを含み得、ここで、ｑ∈｛０，１，．．．，Ｑ−１｝である。
【００４９】
[0069]ワイヤレス通信ネットワークは、ダウンリンクおよびアップリンク上でのデータ送信のためにハイブリッド自動再送信（ＨＡＲＱ）をサポートし得る。ＨＡＲＱの場合、（たとえば、ｅノードＢにおける）送信機は、データパケットが（たとえば、ＵＥにおける）受信機によって正確に復号されるまで、または何らかの他の終了条件に遭遇するまで、データパケットの１つまたは複数の送信を送り得る。同期ＨＡＲＱの場合、データパケットのすべての送信は、単一のインターレースのサブフレーム中で送られ得る。非同期ＨＡＲＱの場合、データパケットの各送信は、任意のサブフレーム中で送られ得る。
【００５０】
[0070]ＵＥは、複数のｅノードＢの地理的カバレージエリア内に位置し得る。ｅノードＢのうちの１つが、ＵＥをサービスするために選択され得、「サービングｅノードＢ」と呼ばれ得るが、他のｅノードＢは「隣接ｅノードＢ」と呼ばれることがある。サービングｅノードＢは、受信信号強度、受信信号品質、経路損失などの様々な基準に基づいて選択され得る。受信信号品質は、信号対雑音干渉比（ＳＩＮＲ）、または基準信号受信品質（ＲＳＲＱ）、または何らかの他のメトリックによって定量化され得る。ＵＥは、ＵＥが１つまたは複数の隣接ｅノードＢからの高い干渉を観測し得る支配的干渉シナリオにおいて動作し得る。
【００５１】
[0071]ＵＥ（たとえば、ＬＴＥアドバンスト対応ＵＥ）は、コンポーネントキャリアごとに最高２０ＭＨｚ帯域幅のスペクトルを使用し得る。複数のコンポーネントキャリアが、送信および受信のために使用される最高合計１００ＭＨｚ（５つのコンポーネントキャリア）のキャリアアグリゲーション構成で割り振られ得る。ＬＴＥアドバンスト対応ワイヤレス通信システムのために、２つのタイプのキャリアアグリゲーション（ＣＡ：carrier aggregation）方法、それぞれ図５および図６に示されている連続ＣＡおよび非連続ＣＡが提案されている。
【００５２】
[0072]図５は、周波数帯域に沿って互いに隣接する複数の利用可能なコンポーネントキャリア５１０がアグリゲートされる連続ＣＡ５００を示す。図示のように、コンポーネントキャリア５１０ａ、５１０ｂ、および５１０ｃは、周波数帯域に沿って互いに隣接し、連続ＣＡ構成で一緒にアグリゲートされる。３つのコンポーネントキャリアが示されているが、より多いまたはより少ないコンポーネントキャリアが連続ＣＡ構成でアグリゲートされ得る。
【００５３】
[0073]図６は、周波数帯域に沿って分離された複数の利用可能なコンポーネントキャリア６１０がアグリゲートされる不連続ＣＡ６００を示す。図示のように、コンポーネントキャリア６１０ａ、６１０ｂ、および６１０ｃは、周波数帯域に沿って分離され、不連続ＣＡ構成で一緒にアグリゲートされる。３つのコンポーネントキャリアが示されているが、より多いまたはより少ないコンポーネントキャリアが不連続ＣＡ構成でアグリゲートされ得る。
【００５４】
[0074]不連続ＣＡと連続ＣＡの両方は、単一のＬＴＥアドバンストＵＥをサービスするために複数のコンポーネントキャリアをアグリゲートし得る。様々な例では、（キャリアアグリゲーションとも呼ばれる）マルチキャリアシステムにおいて動作しているＵＥは、「１次コンポーネントキャリア」（ＰＣＣ）または「１次キャリア」と呼ばれることがある同じキャリア上で、制御機能およびフィードバック機能など、複数のキャリアのいくつかの機能をアグリゲートするように構成される。サポートのために１次キャリアに依存する残りのキャリアは、「２次コンポーネントキャリア」（ＳＣＣ）または「関連する２次キャリア」と呼ばれることがある。たとえば、複数のコンポーネントキャリアのための随意の専用チャネル（ＤＣＨ）、スケジュールされない許可、物理アップリンク制御チャネル（ＰＵＣＣＨ）、および／または物理ダウンリンク制御チャネル（ＰＤＣＣＨ）によって提供される制御機能などの制御機能は、セルのＰＣＣ上で搬送／送信され得る。
【００５５】
[0075]ＬＴＥネットワークなど、いくつかのワイヤレス通信ネットワークでは、周波数分割複信（ＦＤＤ）フレーム構造と時分割複信（ＴＤＤ）フレーム構造の両方がサポートされる。ＦＤＤを使用するネットワークでは、周波数の第１のセット上ではＢＳが送信し、ＵＥが受信するが、周波数の第２のセット上ではＵＥが送信し、ＢＳが受信する。ＦＤＤフレーム構造は、等しい長さの１０個のサブフレームを有する無線フレームであり得、アップリンクまたはダウンリンクのいずれかのためにすべてのサブフレームが使用され得る。ＴＤＤを使用するネットワークでは、すべて周波数の同じセット上で、いくつかの時間ではＢＳが送信し、ＵＥが受信するが、いくつかの他の時間ではＵＥが送信し、ＢＳが受信する。したがって、ＴＤＤフレーム構造は、等しい長さの１０個のサブフレームを有する無線フレームであり得、いくつかのサブフレームはアップリンクのために使用され、他のサブフレームはダウンリンクのために使用され、特殊サブフレームと呼ばれるいくつかのサブフレームは、ダウンリンクからアップリンクへの切替えのために使用される。
【００５６】
[0076]図７は、ＴＤＤを使用するＬＴＥネットワークによってサポートされる７つの可能なＤＬおよびＵＬサブフレーム構成を示す。２つの切替え周期性、５ｍｓおよび１０ｍｓがあることが留意され得る。構成０、１、２、および６は５ｍｓ切替え周期性を有し、構成３、４、および５は１０ｍｓ切替え周期性を有する。５ｍｓ切替え周期性の場合、（たとえば、１０ｍｓの持続時間をもつ）１つの無線フレーム中に２つの特殊サブフレーム（Ｓ）がある。１０ｍｓ切替え周期性の場合、１つの無線フレーム中に１つの特殊サブフレーム（Ｓ）がある。他のサブフレームは、ダウンリンクサブフレーム（Ｄ）またはアップリンクサブフレーム（Ｕ）のいずれかとして指定される。本方法および装置は、より大きいまたはより小さい数のサブフレーム構成がサポートされるときに採用され得る。
【００５７】
[0077]ＬＴＥ  Ｒｅｌ−１２では、トラフィック適応のための発展型干渉管理（ｅＩＭＴＡ：evolved interference management for traffic adaptation）としても知られている、実際のトラフィックの必要に基づいて異なるＴＤＤ  ＤＬ／ＵＬサブフレーム構成を動的に適応させることが可能である。たとえば、短い時間期間中にダウンリンク上の大きいデータバーストが必要とされる場合、サブフレーム構成は、たとえば、アップリンクダウンリンク構成＃１（６ＤＬおよび４ＵＬのサブフレーム）からアップリンクダウンリンク構成＃５（９ＤＬおよび１ＵＬのサブフレーム）に適応的に変更され得る。場合によっては、ＴＤＤ構成の適応は、６４０ｍｓよりも遅くならないことが予想される。極端な場合、適応は、１０ｍｓ程度に高速になることが予測される。
【００５８】
[0078]上述したように、無認可無線周波数スペクトルの使用は、余分の帯域幅を提供することによってワイヤレス通信システムを向上させ得る。
【００５９】
[0079]たとえば、無認可無線周波数スペクトルにおいてＬＴＥを実装することは、将来のワイヤレス必要のためにスペクトル輻輳問題を緩和すると考えられている。無認可無線周波数スペクトルにおいてＬＴＥを実装することは、認可無線周波数スペクトルにおけるＬＴＥ実装からの修正を必要とし得る。無認可無線周波数スペクトルにおいてＬＴＥ通信を実装するための修正は、たとえば、無認可無線周波数スペクトルへのアクセスを獲得するために、クリアチャネルアセスメント（ＣＣＡ）を含むリッスンビフォアトーク（ＬＢＴ）手順の実装を伴い得る。ＬＢＴは、チャネル上で受信することと、そのチャネル上で受信されたものから信号が復調され得るか否かを決定することとを含み得る。ＣＣＡは、チャネル上で受信することと、ある時間期間中にそのチャネル上で検出されたエネルギーの量がエネルギーのしきい値量を超えるかどうかを決定することとを含み得る。ＬＢＴ手順（たとえば、ＣＣＡ）は、（アップリンクからダウンリンクへのまたはダウンリンクからアップリンクへの）何らかの方向変化の前に、何らかのアイドル時間の後に、あるいは周期的に実施され得る。無認可無線周波数スペクトルにおける通信は、異なるフレーム持続時間を有する複数のフレーム構造の適応を通してＬＢＴオーバーヘッドを低減するためのフレームフォーマットの最適化を含み得る。
【００６０】
[0080]以前のＬＴＥ規格（たとえば、Ｒｅｌ−８）では、様々な形態の適応チャネル構造が提案または採用されている。たとえば、ｅＩＭＴＡを用いた時分割複信（ＴＤＤ）は、より多くの「バースト的」トラフィックが一方向にあるとき、アップリンクおよびダウンリンク方向変化を可能にする。別の例は、ニューキャリアタイプ（ＮＣＴ：new carrier type）を用いた周波数分割複信（ＦＤＤ）であり、これは、チャネル上にトラフィックがないとき、ミリ秒スケール上でダウンリンク上での間欠送信を適応的に可能にする。また別の提案は、間欠送信よりも長い時間スケールにわたって生じ得る日和見的休止を伴うスモールセル動作である。
【００６１】
[0081]ｅＩＭＴＡを用いたＴＤＤおよび他の適応チャネル構造技法は、アップリンク送信とダウンリンク送信との間の干渉を生じ得る。たとえば、セルは、ＤＬトラフィックの大きいバーストに適応するためにアップリンクダウンリンク構成５（９ＤＬおよび１ＵＬのサブフレーム）を適応的に選択し得る。本例では、隣接セルは、アップリンクダウンリンク構成１（６ＤＬおよび４ＵＬのサブフレーム）を適応的に選択し得る。隣接セルの境界の近くに位置する第１のセルによってサービスされるＵＥは、サブフレーム３中でＤＬ送信を受信することを試み得、ＵＬ送信を送信している隣接セルによってサービスされるＵＥからの干渉を受信し得る。同様に、サブフレーム３中でＵＬ送信を受信することを試みている隣接セルのＢＳは、第１のセル中でのＤＬ送信からの干渉を受信し得る。
【００６２】
[0082]図８は、本開示の一態様による、複数のセル上でのアップリンク送信とダウンリンク送信との間の干渉の一例を示す。干渉送信はサブフレーム３中に示され、ここで、セル１はアップリンク信号を予想しており、セル２は、同じ周波数帯域上のダウンリンク上で送信している。ｅＮＢ間で、そのような状況は、受信側ｅＮＢ（たとえば、セル１）に、送信側ｅＮＢ（たとえば、セル２）からのひどい干渉を経験させ得る。ＵＥ間の干渉も起こり得、たとえば、ダウンリンク送信を予想しているセル２によってサービスされるＵＥ８０２は、アップリンク送信を実施しているセル１によってサービスされる近くのＵＥ８０４からの干渉を経験し得る。
【００６３】
[0083]アップリンク送信とダウンリンク送信との間の干渉を回避するために、ネットワークは、常に同じである「アンカー」サブフレームとして指定されるいくつかのサブフレームを用いたＴＤＤのためにｅＩＭＴＡを実装し得る。すなわち、ネットワークは、フレームごとに１つまたは複数のサブフレームを、常にＤＬサブフレームであるアンカーサブフレームとして指定し、１つまたは複数の他のサブフレームを、常にＵＬサブフレームであるアンカーサブフレームとして指定し得る。そのネットワークのセルは、アップリンク送信とダウンリンク送信との間の干渉を回避するためにアンカーサブフレーム中で送信をスケジュールし得る。たとえば、セルは２つのＵＥをサービスし得、第１のＵＥはセルのＢＳの近くにあり、第２のＵＥはセルエッジの近くにある。本例では、ＢＳは、ＵＬ  ＤＬ干渉を回避するために、非アンカーサブフレーム中で第１のＵＥのためのＵＬ送信をスケジュールしながら、アンカーＵＬサブフレーム中で第２のＵＥのＵＬ送信をスケジュールし得る。本例では、別のセルからのＤＬ送信によって干渉される、第１のＵＥからのＵＬ送信は、ＢＳへのＵＥの近さのために、ＢＳによってより容易に受信される。
【００６４】
[0084]図９は、本開示の態様による、アンカーサブフレームと非アンカーサブフレームとを有する様々なアップリンクダウンリンクサブフレーム構成９００を示す。図９に示されたサブフレーム構成は、図７に示された構成と同等であることが留意されよう。アンカーサブフレームベースの設計は、干渉を低減するために使用され得る。一態様では、アンカーサブフレームは、図９に示されているように、サブフレーム０〜１およびサブフレーム５〜６であり得る。
【００６５】
[0085]無認可無線周波数スペクトルにおけるワイヤレス通信では、干渉処理は、ｅＩＭＴＡにおける干渉処理とは異なり得る。ｅＩＭＴＡでは、干渉が存在するとき、受信信号品質は劣化され得るが、ｅＮＢおよびＵＥは依然として通信し続け得る。無認可無線周波数スペクトルにおける通信では、干渉はＣＣＡを失敗させ得る。すなわち、ｅＮＢまたはＵＥは、ＣＣＡを実施しているときに干渉（たとえば、図８に示されているＵＬ−ＤＬ干渉）を検出し、チャネルが占有されていると決定し得る。ＣＣＡの失敗により、ｅＮＢおよびＵＥは送信することを許されないことがある。
【００６６】
[0086]フレーム構造は、ｅＩＭＴＡと無認可無線周波数スペクトルにおける通信との間で異なり得る。ｅＩＭＴＡでは、フレームのサブフレーム構成は、７つの構成に抑制され得、それらの各構成は、図９に示されているように、各１０ミリ秒フレーム中にアンカーサブフレームを保証している。規制上の要件により、無認可無線周波数スペクトルにおいて通信を実装するセルは、１０ｍｓフレームごとに１回未満の（たとえば、８０ミリ秒ごとに１回生じるダウンリンクおよび／またはアップリンク信号の送信のためのウィンドウを備え得る、ＣＣＡを免除された送信（ＣＥＴ：CCA Exempt Transmission）時間中のみの）保証送信に限定され得る。無認可無線周波数スペクトルにおける通信は、ｅＩＭＴＡの１０ミリ秒フレーム長に従い、また様々な他の構成をサポートし得る。たとえば、無認可無線周波数スペクトルにおける通信は２ミリ秒のフレーム持続時間をも可能にし得る。
【００６７】
[0087]適応レートも、ｅＩＭＴＡと無認可無線周波数スペクトルにおける通信との間で異なり得る。ｅＩＭＴＡは、少なくとも１０ミリ秒ごとのアンカーサブフレームの存在を通して動的シグナリングを用いた高速適応をサポートし得る。無認可無線周波数スペクトルを使用するワイヤレス通信は、８０ミリ秒ごとの保証シグナリングを用いた適応を有し得る。無認可無線周波数スペクトルを使用するワイヤレス通信はまた、ＣＣＡ間のより短い間隔と、より高いオーバーヘッドの対応する影響とを提供し得る。
【００６８】
[0088]無認可無線周波数スペクトラムにおけるブロードキャストのための規制上の要件により、無認可無線周波数スペクトルを使用してワイヤレス通信を実施するとき、ＬＢＴ手順（たとえば、ＣＣＡ）が必要とされ得る。ＬＢＴ手順（たとえば、ＣＣＡ）は、（アップリンクからダウンリンクへのまたはダウンリンクからアップリンクへの）何らかの方向変化の前に、何らかのアイドル時間の後に、あるいは周期的に実施され得る。さらに、無認可無線周波数スペクトラム上での送信はレーダー検出を必要とし得る。ｅＮＢ側では、レーダー検出は、ダウンリンク送信がレーダー信号と衝突するのを防ぐために、送信する前にレーダー信号についてリッスンするための十分な時間を取ることを伴い得る。ＵＥ側からは、レーダー信号が十分に強い場合、アップリンク送信はレーダー検出なしに許可され得る。
【００６９】
[0089]図１０は、本開示の態様に従って、無認可無線周波数スペクトルを使用してワイヤレス通信のためにフレーム構造を適応させるために、たとえば、基地局、ｅノードＢ、ユーザ機器（ＵＥ）、または他のデバイスによって実施される、例示的な動作１０００を記載している。
【００７０】
[0090]動作１０００は、場合によっては、１００２において、１つまたは複数のネットワーク状態を決定することによって開始し得、ここにおいて、ネットワーク状態は、たとえば、ネットワークトラフィック状態、干渉状態、レーダー検出、または他のネットワーク状態を備え得る。１００４において、動作１０００は、通信のためのフレーム構造を決定することによって続き、ここにおいて、決定されたフレーム構造は、通信のために使用され得る複数のフレーム構造のうちの１つであり、およびここにおいて、複数のフレーム構造の各々は異なるフレーム持続時間を有する。フレーム構造は、たとえば、１つまたは複数のネットワーク状態に少なくとも部分的に基づいて決定され得る。一例では、複数のフレーム構造の各々は、すべてのサブフレームがアップリンクサブフレームであることまたはすべてのサブフレームがダウンリンクサブフレームであることのいずれかを有し得、フレーム構造は、クリアチャネルアセスメント（ＣＣＡ）競合プロセスに基づいて決定され得る。動作１０００は、場合によっては、１００６において、フレーム構造の１つまたは複数のダウンリンクサブフレーム中でＵＥと通信することより前にクリアチャネルアセスメントを実施することによって続き得る。随意のクリアチャネルアセスメントは、たとえば、フレーム境界からのオフセット値に基づいて実施され得、異なる送信エンティティに異なる優先度を与えるために異なるオフセット値が割り当てられ得る。１００８において、動作１０００は、場合によっては、装置と通信することより前に送信パーミッションを決定することによって続き得る。動作１０００は、１０１０において、決定されたフレーム構造を使用して装置と通信することによって続く。
【００７１】
[0091]１０１２において、動作１０００は、場合によっては、１つまたは複数のネットワーク状態に少なくとも部分的に基づいて、サブフレーム構成を決定することによって続き得る。動作１０００は、場合によっては、１０１４において、クリアチャネルアセスメント（ＣＣＡ）周期性を決定することによって続き得る。決定されたＣＣＡ周期性は、場合によっては、複数のフレーム構造のうちの最も短い長さのフレーム構造に少なくとも部分的に基づき得、装置のＣＣＡ周期性とは異なり得る。１０１６において、動作１０００は、場合によっては、決定されたフレーム構造の指示を装置に通信することによって続き得る。随意の指示が、たとえば、クリアチャネルアセスメントを免除された送信、共通制御信号、１次コンポーネントキャリア、および／または他の技法を介して通信され得る。１０１８において、動作１０００は、フレーム構造の１つまたは複数のサブフレーム中で装置からフィードバックを受信することまたは装置にフィードバックを送信することによって続き得る。フィードバックがその中で受信または送信されるサブフレームは、たとえば、参照サブフレーム構成におけるサブフレームと同じアップリンクもしくはダウンリンク方向を有するサブフレーム、および／または複数の利用可能なサブフレーム構成の各々においてアップリンクサブフレームとして指定されるサブフレームを備え得る。
【００７２】
[0092]上述したように、動作１０００は、（たとえば、ｅノードＢと通信するために）ＵＥによってあるいは（たとえば、ＵＥと通信するために）ｅノードＢによって実施され得る。図１１は、ｅノードＢによって実施され得る例示的な動作を示すが、図１３は、ＵＥによって実施され得る例示的な動作を示す。したがって、これらの図は、図１０に示された動作１０００のデバイス固有の例と見なされ得る。
【００７３】
[0093]図１１は、本開示の態様に従って、無認可無線周波数スペクトルを使用してＬＴＥシステムのためにフレーム構造を適応させるために、たとえば、基地局（ＢＳ）によって実施される、例示的な動作１１００を記載している。動作１１００は、場合によっては、１１０２において開始し得る。１１０２において、ＢＳは、１つまたは複数のネットワーク状態を決定し得る。たとえば、ＢＳは、ダウンリンク上の大きいデータバーストが必要とされると決定し得る。別の例では、ＢＳは、他のＢＳまたはＵＥからの干渉を検出し得る。他の例では、ＢＳはレーダー信号を検出し得る。１１０４において、ＢＳは、通信のためのフレーム構造を決定し得、ここにおいて、決定されたフレーム構造は、通信のために使用され得る複数のフレーム構造のうちの１つであり、およびここにおいて、複数のフレーム構造の各々は異なるフレーム持続時間を有する。たとえば、あるフレーム構造は、１０個のサブフレームの持続時間を有し得るが、別のフレーム構造は、２つのサブフレームの持続時間または５つのサブフレームの持続時間を有し得る。フレーム構造は任意の数のサブフレームを有することができることが当業者によって諒解されよう。一例では、複数のフレーム構造の各々は、すべてのサブフレームがアップリンクサブフレームであることまたはすべてのサブフレームがダウンリンクサブフレームであることのいずれかを有し得、フレーム構造は、クリアチャネルアセスメント（ＣＣＡ）競合プロセスに基づいて決定され得る。一態様では、決定は、１１０２において決定された１つまたは複数のネットワーク状態に少なくとも部分的に基づき得る。動作１１００は、場合によっては、１１０６において、フレーム構造の１つまたは複数のダウンリンクサブフレーム中でＵＥと通信することより前にＢＳがクリアチャネルアセスメントを実施することによって続き得る。随意のクリアチャネルアセスメントは、たとえば、フレーム境界からのオフセット値に基づいて実施され得、異なる送信エンティティに異なる優先度を与えるために異なるオフセット値が割り当てられ得る。１１０８において、動作１１００は、場合によっては、フレーム構造の１つまたは複数のダウンリンクサブフレーム中でＵＥと通信することより前にＢＳが送信パーミッションを決定することによって続き得る。１１１０において、ＢＳは、決定されたフレーム構造を使用してＵＥと通信し得る。
【００７４】
[0094]１１１２において、動作１１００は、場合によっては、１つまたは複数のネットワーク状態に少なくとも部分的に基づいて、ＢＳがサブフレーム構成を決定することによって続き得る。動作１１００は、場合によっては、１１１４において、ＢＳがクリアチャネルアセスメント（ＣＣＡ）周期性を決定することによって続き得る。決定されたＣＣＡ周期性は、場合によっては、複数のフレーム構造のうちの最も短い長さのフレーム構造に少なくとも部分的に基づき得、ＵＥのＣＣＡ周期性とは異なり得る。１１１６において、動作１１００は、場合によっては、ＢＳが、決定されたフレーム構造の指示をＵＥに通信することによって続き得る。随意の指示が、たとえば、クリアチャネルアセスメントを免除された送信、共通制御信号、１次コンポーネントキャリア、および／または他の技法を介して通信され得る。１１１８において、動作１１００は、ＢＳがフレーム構造の１つまたは複数のサブフレーム中でＵＥからフィードバックを受信することによって続き得る。フィードバックがその中で受信されるサブフレームは、たとえば、参照サブフレーム構成におけるサブフレームと同じアップリンク方向を有するサブフレーム、および／または複数の利用可能なサブフレーム構成の各々においてアップリンクサブフレームとして指定されるサブフレームを備え得る。
【００７５】
[0095]いくつかの態様によれば、ＢＳは、１つまたは複数のネットワーク状態に少なくとも部分的に基づいてフレーム構造のサブフレーム構成を決定し得る。たとえば、フレームの一部分はデータトラフィックを有しないことがある。フレーム構造は、データトラフィックを有しないフレームの部分のためにアイドルサブフレームを有するようにＢＳによって動的に構成され得る。ＵＥへの高いトラフィック負荷を伴う態様では、ＢＳは、ダウンリンクデータトラフィックに適応するためにより多くのダウンリンクサブフレームを有するようにフレーム構造を構成し得る。ＵＥからの高いトラフィック負荷を伴う態様では、ＢＳは、アップリンクデータトラフィックに適応するためにより多くのアップリンクサブフレームを有するようにフレーム構造を構成し得る。
【００７６】
[0096]いくつかの態様によれば、１つまたは複数のネットワーク状態は、ネットワークトラフィック状態と、干渉状態と、レーダー検出とのうちの少なくとも１つを備え得る。たとえば、連邦通信委員会（ＦＣＣ）の規制領域では、レーダー検出は２ｍｓごとに行われ得、ＢＳは、ＢＳが必要なレーダー検出を実施することができるように、２ｍｓごとに少なくともＤＬ送信なしにフレーム構造を決定し得る。欧州電気通信標準化機構（ＥＴＳＩ）の規制領域では、レーダー検出は１．５ｍｓごとに行われ得、ＢＳは、少なくとも１．５ｍｓごとに（たとえば、レーダー検出時間中のＤＬ送信なしに）レーダー検出を可能にするフレーム構造を決定し得る。
【００７７】
[0097]いくつかの態様によれば、ＢＳは、フレーム構造の１つまたは複数のダウンリンクサブフレーム中でＵＥと通信することより前にクリアチャネルアセスメント（ＣＣＡ）を実施し得る。ＣＣＡは、無認可無線周波数スペクトル中の通信チャネルが占有されているかどうかを検証するために実施され得る。いくつかの態様では、ＵＥと通信することより前のＢＳによるＣＣＡの実施は、複数のフレーム構造のうちの最も短い長さのフレーム構造に少なくとも部分的に基づいてクリアチャネルアセスメント周期性を決定することを備え得る。これは、どのフレーム構造が実際に使用されているかにかかわらず、各ＣＣＡ期間が、可能な送信機会と一致することを保証するのを助け得る。たとえば、ＢＳが２ｍｓ、４ｍｓ、８ｍｓ、または１０ｍｓのフレーム構造の間で動的に選択するシステムでは、ＢＳは２ｍｓのＣＣＡ周期性を使用し得る。別の例として、ＢＳが５ｍｓまたは１０ｍｓのフレーム構造の間で動的に選択するシステムでは、ＢＳは５ｍｓのＣＣＡ周期性を使用し得る。これらの例の両方において、ＣＣＡ周期性は各フレーム構造の長さの一体的ファクタであるので、ＢＳは、異なるフレーム構造の間で動的に切り替わるとき、ＣＣＡ周期性を変更する必要を回避し得る。
【００７８】
[0098]いくつかの態様によれば、ＵＥと通信することより前のＢＳによるＣＣＡの実施は、スケジュールされたデータ送信に少なくとも部分的に基づいてクリアチャネルアセスメント周期性を決定することを備え得る。たとえば、ＢＳは、ＢＳが４ｍｓでのＵＥへの送信をスケジュールすると決定し、４ｍｓのＣＣＡ周期性を決定し得る。
【００７９】
[0099]いくつかの態様によれば、ＢＳは、ＢＳによってサービスされるセル中のＵＥとは異なる周期性でクリアチャネルアセスメントを実施し得る。たとえば、ＢＳは、１０個のサブフレームの周期性でＣＣＡを実施し得るが、被サービスＵＥは、２つのサブフレームの周期性でＣＣＡを実施する。
【００８０】
[0100]いくつかの態様によれば、ＢＳは、フレーム境界からのオフセット値に基づいてＣＣＡを実施し得る。たとえば、ＣＣＡは、フレーム境界から構成可能な時間期間において（たとえば、３０マイクロ秒前に）実施され得る。
【００８１】
[0101]一態様では、異なる送信エンティティに異なる優先度を与えるために異なるオフセット値が割り当てられ得る。たとえば、より小さいＣＣＡオフセット値は、より優先度の低い送信エンティティに割り当てられ得、一方、より大きいＣＣＡオフセット値は、より優先度の高い送信エンティティに割り当てられ得る。本例では、より大きいＣＣＡオフセット値は、より優先度の高いエンティティを、より優先度の低いエンティティよりも早くＣＣＡを開始して完了させるので、より優先度の高い送信エンティティは、チャネルがクリアであると決定し、より優先度の低い送信エンティティの前にチャネルを占有することになる。
【００８２】
[0102]いくつかの態様によれば、ＵＥは、ＵＥのサービング基地局のＣＣＡ周期性とは異なるクリアチャネルアセスメント（ＣＣＡ）周期性を有し得る。たとえば、ＵＥ  ＣＣＡ周期性は、フレーム構造の可能な限り最も短い長さによって決定され得る。本例では、ＵＥのサービングＢＳが使用する最も短いフレーム構造の長さが２ミリ秒になる場合、ＵＥは、２ミリ秒のクリアチャネルアセスメント周期性を有し得る。
【００８３】
[0103]いくつかの態様によれば、ＵＥは、ＵＥクリアチャネルアセスメント周期性に対応するいくつかのサブフレーム中でのみ送信することを許可され得る。たとえば、ＵＥが４つのサブフレームのクリアチャネル周期性を有する場合、ＵＥは、４つのサブフレームごとにのみ送信することを許可され得る。
【００８４】
[0104]いくつかの態様によれば、ＢＳは、適応フレーム構造の指示を被サービスＵＥにシグナリングし得る。指示は、クリアチャネルアセスメントを免除された送信（ＣＥＴ）、共通制御信号、または１次コンポーネントキャリア（たとえば、キャリアアグリゲーションを使用しながら、１次コンポーネントキャリアからクロスキャリアシグナリング）のうちの少なくとも１つを介してシグナリングされ得る。指示は、ダウンリンクサブフレームに対するアップリンクサブフレームの比（たとえば、３つのＵＬサブフレームに対して７つのＤＬサブフレーム）、選択されたフレーム構造（たとえば、図７に示されたサブフレーム構成４）、またはＣＣＡ構成および優先度（たとえば、２ｍｓの期間と、１〜４のスケール上で１の優先度とをもつＣＣＡを実施する）のうちの少なくとも１つの指示を備え得る。フレーム構造またはＣＣＡ構成は、ＢＳによって選好されるフレーム構造またはＣＣＡ構成であり得、所与の時間に、ＢＳによって使用されている実際のフレーム構造またはＣＣＡ構成は、たとえば、ネットワーク状態への変化に基づいて異なり得る。たとえば、ＢＳによって使用されている実際のフレーム構造は、ＣＣＡ中に検出された送信に基づいてＢＳによって選択され得る。ただし、本例では、ＵＥの動作を簡略化し、シグナリングオーバーヘッドを低減するために、ＵＥは、ＣＣＡ周期性を好ましいフレーム構造またはＣＣＡ構成に基づかせ得る。
【００８５】
[0105]いくつかの態様によれば、ＢＳは、フレーム構造のいくつかのサブフレーム中でＵＥからフィードバックを受信し得る。サブフレームは、たとえば、上記で説明したアンカーサブフレームと同様に、参照サブフレーム構成においてアップリンクサブフレームとして指定されるサブフレーム、または複数の利用可能なサブフレーム構成の各々においてアップリンクサブフレームとして指定されるサブフレームを備え得る。無認可無線周波数スペクトルを使用するワイヤレス通信システムのための適応フレーム構造のためのアンカーサブフレームの一例は、適応フレーム構造の最初の１つまたは数個（たとえば、３つ）のサブフレームが常にダウンリンクサブフレームとして指定されることと、適応フレーム構造の最後の１つまたは数個（たとえば、２つ）のサブフレームが常にアップリンクサブフレームとして指定されることとである。
【００８６】
[0106]図１２は、本開示の態様による、様々な例示的な適応フレーム構造を含む例示的なタイムライン１２００を示す。図１２において、「Ｄ」と標示されたサブフレームはダウンリンクサブフレームであり、「Ｓ」と標示されたサブフレームは特殊サブフレームであり、ここにおいて、送信方向はダウンリンクからアップリンクに変化し得、および「Ｉ」と標示されたサブフレームはアイドルサブフレームである。（たとえば、認可無線周波数スペクトルにおける）共通制御信号は、フレーム構造の高速適応を可能にするために、たとえば、時間１２０２において、基地局から送られ得る。適応フレーム構造はトラフィック負荷適応を可能にし得る。共通制御信号は、行われるべき送信がないアイドリングサブフレームを動的に可能にし得、たとえば、ここでは、無認可無線周波数スペクトルが補助ダウンリンク（ＳＤＬ：supplemental downlink）のために使用され、１２０４および１２１０に示されているように、ＳＤＬ上で行われるべき送信はない。大きいトラフィック負荷の場合、適応フレーム構造（および共通制御信号）は、１２０６に示されているように、１０ミリ秒フレーム持続時間のために構成され得る。低いトラフィック負荷の場合、適応フレーム構造は、より短いフレーム持続時間で、たとえば、１２０８に示されているように、２ミリ秒のフレーム長で構成され得る。ＣＣＡは、指定されたフレーム持続時間を有するフレーム構造に従って周期的に実施され得る。フレーム期間ごとに方向変化が起こり得る。
【００８７】
[0107]適応フレーム構造はまた、たとえば、フレーム構造をサポートすることによって、レーダー検出をサポートし得、ここにおいて、フレームは、必要とされるレーダー検出期間の程度に短いかまたはそれよりも短い。レーダー検出は、領域依存の時間フレーム上でスケジュールされ得る。たとえば、いくつかの領域は２ミリ秒ごとにレーダー検出を必要とし得るが、他の領域は１．５ミリ秒ごとにレーダー検出を必要とし得る。負荷依存の適応（たとえば、追加のアイドル時間）は、たとえば、アイドル時間中に追加のレーダー検出を可能にすることによって、レーダー検出を助け得る。
【００８８】
[0108]図１３は、本開示の態様に従って、無認可無線周波数スペクトルを使用してワイヤレス通信のためにフレーム構造を適応させるために、たとえば、ユーザ機器（ＵＥ）によって実施される、例示的な動作１３００を記載している。動作１３００は、図１１を参照しながら上記で説明した動作１１００を補足するものと見なされ得る。ＵＥは、場合によっては、１３０２において、１つまたは複数のネットワーク状態を決定することによって動作１３００を開始し得、ここにおいて、ネットワーク状態は、たとえば、ネットワークトラフィック状態、干渉状態、レーダー検出、または他のネットワーク状態を備え得る。１３０４において、ＵＥは、通信のためのフレーム構造を決定し得、ここにおいて、決定されたフレーム構造は、通信のために使用され得る複数のフレーム構造のうちの１つであり、およびここにおいて、複数のフレーム構造の各々は異なるフレーム持続時間を有する。フレーム構造は、たとえば、１つまたは複数のネットワーク状態に少なくとも部分的に基づいて決定され得る。一例では、複数のフレーム構造の各々は、すべてのサブフレームがアップリンクサブフレームであることまたはすべてのサブフレームがダウンリンクサブフレームであることのいずれかを有し得、フレーム構造は、クリアチャネルアセスメント（ＣＣＡ）競合プロセスに基づいて決定され得る。別の例では、フレーム構造は、ＢＳから受信された指示に基づいて決定され得る。動作１３００は、場合によっては、１３０６において、フレーム構造の１つまたは複数のアップリンクサブフレーム中でＢＳと通信することより前にクリアチャネルアセスメントを実施することによって続き得る。随意のクリアチャネルアセスメントは、たとえば、フレーム境界からのオフセット値に基づいて実施され得、異なる送信エンティティに異なる優先度を与えるために異なるオフセット値が割り当てられ得る。１３０８において、動作１３００は、場合によっては、フレーム構造の１つまたは複数のアップリンクサブフレーム中でＢＳと通信することより前に送信パーミッションを決定することによって続き得る。たとえば、ＵＥは、無認可無線周波数スペクトルを使用する別のネットワークエンティティによる通信に起因して、今度の時間期間中に送信することを許可されないことがある。そのような場合、ＵＥは、その時間期間の間にＣＣＡを実施するが、チャネルがクリアであることをＣＣＡが示しても送信するのを控え得るので、ＣＣＡ期間は「仮想ＣＣＡ」と呼ばれることがある。場合によっては、ＵＥが送信することを許可されない場合、ＵＥは実際にＣＣＡを実施しないことがある。１３１０において、ＵＥは、決定されたフレーム構造を使用してＢＳと通信する。
【００８９】
[0109]動作１３００は、場合によっては、１３１４において、ＵＥがクリアチャネルアセスメント（ＣＣＡ）周期性を決定することによって続き得る。決定されたＣＣＡ周期性は、場合によっては、複数のフレーム構造のうちの最も短い長さのフレーム構造に少なくとも部分的に基づき得、ＢＳのＣＣＡ周期性とは異なり得る。１３１８において、動作１３００は、ＵＥがフレーム構造の１つまたは複数のサブフレーム中でＢＳにフィードバックを送信することによって続き得る。フィードバックがその中で送信されるサブフレームは、たとえば、参照サブフレーム構成におけるサブフレームと同じアップリンク方向を有するサブフレーム、および／または複数の利用可能なサブフレーム構成の各々においてアップリンクサブフレームとして指定されるサブフレームを備え得る。
【００９０】
[0110]いくつかの態様によれば、ＵＥは、フレーム構造の１つまたは複数のアップリンクサブフレーム中でＢＳと通信することより前にクリアチャネルアセスメントを実施し得る。たとえば、ＢＳは、無認可無線周波数スペクトル中の周波数上でアップリンク（ＵＬ）送信を実施するようにＵＥをスケジュールし得る。本例では、ＵＥは、周波数上でＣＣＡを実施し、ＵＬ送信を開始する前に周波数がクリアであることを見出す必要がある。さらに本例では、ＵＥは周波数がクリアであることを見出さない場合、ＵＥは、ＵＬ送信を実施しないはずであり、スケジューリング要求（ＳＲ）を送信するか、またはＢＳから新しいＵＬ許可を得るための他のステップを取り得る。
【００９１】
[0111]いくつかの態様によれば、ＵＥは、最も短い長さのフレーム構造によって決定されたクリアチャネルアセスメント周期性を有し得る。たとえば、ＵＥは、フレームの長さが２ｍｓから１０ｍｓまで変化するフレーム構造をサポートし得る。本例では、ＵＥは、２ｍｓが、サポートされるフレーム構造の最も短い長さであるので、その２ｍｓのＣＣＡ周期性を有するように構成される。一態様では、ＵＥは、ＵＥクリアチャネルアセスメント周期性に対応するいくつかのサブフレーム中でのみ送信することを許可され得る。たとえば、ＵＥは４ｍｓのＣＣＡ周期性で構成され得、ＵＥは、ＣＣＡを実施した後に、４つのサブフレームごとに送信することのみを許可される。
【００９２】
[0112]いくつかの態様によれば、ＵＥは、スケジュールされたデータ送信に少なくとも部分的に基づいてクリアチャネルアセスメント周期性を決定し得る。たとえば、ＵＥは、８つのサブフレームごとにデータ送信を実施するように半永続的にスケジュールされ得、ＵＥは、半永続的にスケジュールされたデータ送信に基づいて、８ｍｓのＣＣＡ周期性を決定し得る。
【００９３】
[0113]いくつかの態様によれば、ＵＥは、フレーム境界からのオフセット値に基づいてクリアチャネルアセスメントを実施し得る。たとえば、ＣＣＡは、フレーム境界から構成可能な時間期間において（たとえば、２０マイクロ秒前に）実施され得る。
【００９４】
[0114]いくつかの態様によれば、異なる送信エンティティに異なる優先度を与えるために異なるオフセット値が割り当てられ得る。たとえば、あるセルのＵＥに２０マイクロ秒のＣＣＡオフセット値が割り当てられ得るが、隣接セルのＢＳに３０マイクロ秒のＣＣＡオフセット値が割り当てられ得る。本例では、ＢＳは、チャネルがクリアであると決定し、ＵＥの前に（たとえば、ＤＬ送信を実施するために）チャネルを占有することになる。
【００９５】
[0115]いくつかの態様によれば、図１３に記載されている、フレーム構造を決定することは、ＵＥによって適応フレーム構造の指示のシグナリングを受信することを備え得る。指示は、クリアチャネルアセスメントを免除された送信と、共通制御信号とのうちの少なくとも１つを介して、または別のコンポーネントキャリアから受信され得る。指示は、ダウンリンクサブフレームに対するアップリンクサブフレームの比（たとえば、７つのＤＬサブフレームに対して３つのＵＬサブフレーム）、ＣＣＡ優先度、またはフレーム構造（たとえば、３つのＤＬサブフレームの後に、特殊サブフレーム、次いでＵＬサブフレーム、および次いで５つのアイドルサブフレームが続く）のうちの少なくとも１つの指示を備え得る。たとえば、ＵＥは、ＵＥのサービングＢＳから、無認可無線周波数スペクトル中のアップリンクサブフレームに対するダウンリンクサブフレームの比が８対２になるという信号を受信し得、その信号は、認可無線周波数スペクトル中の１次コンポーネントキャリアを介して送られ得る。
【００９６】
[0116]いくつかの態様によれば、ＵＥは、フレーム構造のいくつかのサブフレーム中でＢＳにフィードバックを送信し得る。いくつかの態様によれば、いくつかのサブフレームは、参照サブフレーム構成においてアップリンクサブフレームとして指定されるサブフレーム、または複数の利用可能なサブフレーム構成の各々においてアップリンクサブフレームとして指定されるサブフレームを備え得る。たとえば、サブフレーム１は、無認可無線周波数スペクトルを使用してワイヤレス通信のために適応フレーム構造を実装するセルの利用可能なサブフレーム構成のすべてにおいてアップリンクサブフレームとして指定され得、ＵＥは、あらゆるフレームのサブフレーム１中でＵＥのサービングＢＳにフィードバックを送信し得る。
【００９７】
[0117]いくつかの態様によれば、ＵＥは、ダウンリンククリアチャネルアセスメントの成功に依存するアップリンククリアチャネルアセスメントを実施し得る。たとえば、複数の事業者が同じスペクトルを共有するとき、各事業者の基地局はＤＬ  ＣＣＡを実施し得る。本例では、ＤＬ  ＣＣＡの結果は、どの事業者がフレームを使用していることになるのかを決定し得（たとえば、ある事業者の基地局のＤＬ  ＣＣＡが、チャネルがクリアであることを示す場合、その事業者はフレームを使用し得、他の事業者はフレームを使用し得ない）、その同じ事業者からのＵＥのみが、ＵＬ  ＣＣＡを実施することを可能にされ得る。さらに本例では、他の事業者のＵＥはＵＬ  ＣＣＡを実施することを可能にされないので、他の事業者のＵＥはフレームを使用することができない。
【００９８】
[0118]いくつかの態様によれば、ＤＬ  ＣＣＡとＵＬ  ＣＣＡが両方ともフレーム境界において行われ得、フレーム持続時間全体中に同じ送信方向が使用され得る。たとえば、ＤＬ  ＣＣＡが成功した場合、フレーム全体はＤＬ送信のために使用され得る。本例では、ＵＬ  ＣＣＡが成功した場合、フレーム全体はＵＬ送信のために使用され得る。
【００９９】
[0119]上述のように、無認可無線周波数スペクトルにおいてＬＴＥを実装するとき、送信方向のあらゆる（たとえば、ダウンリンクからアップリンクへのまたはアップリンクからダウンリンクへの）変化の前に、ＬＢＴ手順（たとえば、ＣＣＡ）が実施されるべきである。十分に短い持続時間のＣＣＡを構成することによって、ＣＣＡにおけるエネルギーの検出は信号の検出よりも高速になり得、したがって、十分短いＣＣＡを実施することは、信号を検出することよりも少ないオーバーヘッドを必要とし得る。
【０１００】
[0120]場合によっては、規制上の要件を満たし、適応アップリンク／ダウンリンク境界を可能にするために、図１３に関して上記で説明した仮想ＣＣＡは、無認可無線周波数スペクトルを使用してワイヤレス通信のために適応フレーム構造を実装するデバイスにおいて実装され得る。上記で説明したように、仮想ＣＣＡは、チャネルが空いている（たとえば、デバイスが送信パーミッションを有しない）ことをＣＣＡが示す場合でも、デバイスが信号を送信しない送信期間と一致するＣＣＡ期間を概して指す。無認可無線周波数スペクトルを使用してワイヤレス通信のために適応フレーム構造を実装するデバイスは、送信方向の変化ごとにＬＢＴ手順（たとえば、ＣＣＡ）を実施することを要求され得、デバイスは、送信方向の変化ごとにＬＢＴ手順を実行するように構成され得る。
【０１０１】
[0121]図１４は、本開示の一態様による、送信するパーミッションをもつリアルＣＣＡと、送信するパーミッションをもたない仮想ＣＣＡとを利用する適応ダウンリンクフレーム構造を含む例示的なタイムライン１４００を示す。規制上の要件に準拠し、異なるフレーム持続時間を有するフレーム構造の適応変更を可能にするために、リアルＣＣＡと仮想ＣＣＡとの組合せが使用され得る。リアルＣＣＡは、送信するパーミッションを有するＵＥまたはＢＳによって実施され得（たとえば、ＵＥまたはＢＳが送信要求および送信可（ＲＴＳ／ＣＴＳ）信号交換を実施した）、仮想ＣＣＡは、ＵＥが送信するパーミッションを有しないときに実施され得る。一態様では、リアルＣＣＡまたは仮想ＣＣＡは、ＵＥと基地局との間で通信するために使用されるフレーム構造の最も短いフレーム持続時間に等しい時間期間（「ＣＣＡ期間」）の後に実施され得る。たとえば、１０ミリ秒のフレーム持続時間を有するフレーム構造（たとえば、標準ＬＴＥフレーム構造）と２ミリ秒のフレーム持続時間を有する適応フレーム構造とを含むＵＥとＢＳとの間の通信の態様では、ＣＣＡ周期性は２ミリ秒に構成され得る（たとえば、リアルＣＣＡまたは仮想ＣＣＡが２ミリ秒ごとに実施され得る）。１４１０におけるように、フレーム持続時間はＣＣＡ期間よりも長いが、リアルＣＣＡは、１４０２および１４０４に示されているように、各フレームの最初に実施され得る。フレーム開始の間に、仮想ＣＣＡ１４０６はＣＣＡ期間ごとに実施され得る。１４１２におけるように、フレーム持続時間がＣＣＡ期間に等しくなるように適応的に変更されたとき、リアルＣＣＡ１４０８は、各フレームの最初に実施され得、仮想ＣＣＡは、フレーム持続時間がＣＣＡ期間とは異なるように適応的に変更されるまで、必要とされないことがある。
【０１０２】
[0122]図１５は、本開示の態様による、適応フレーム構造内でｅＮＢとＵＥとの間の異なるＣＣＡ周期性を実装するセルにおける送信のための例示的なタイムライン１５００を示す。このタイムラインは、キャリアアグリゲーションとともにまたは無認可無線周波数スペクトルのスタンドアロン使用のために使用され得る。ｅＮＢはダウンリンクデータトラフィックのスケジューリングを制御し、したがって、前もって様々なフレーム構造の適応に関する情報を有するので、ｅＮＢのＣＣＡ周期性は、ｅＮＢによって決定され得、ＵＥのＣＣＡ周期性よりも効率的であり得る。たとえば、ダウンリンク側では、大量のダウンリンクデータトラフィックを可能にするために、ＣＣＡ１５０２が１０ミリ秒ごとに（たとえば、あらゆるＬＴＥフレームの最初に）実施され得る。アップリンク側では、チャネル使用ビーコン信号（ＣＵＢＳ：channel usage beacon signal）を用いたＣＣＡ１５０４、ＣＵＢＳを用いないＣＣＡ１５０６、およびＵＥがデータを送信するパーミッションを有しないときの仮想ＣＣＡ１５０８という、３つの異なるタイプのアップリンクＣＣＡがあり得る。ＣＵＢＳを用いたＣＣＡでは、デバイスはＣＣＡを実施し、チャネルがクリアであるとデバイスが決定するとすぐにチャネル上で信号を送信し、したがって、ＣＣＡを実施している他のデバイスは、その信号を聴取し、当該のデバイスがチャネル上で送信しようとしていると決定する。ＵＥは、チャネル送信に少なくとも部分的に基づいてＣＣＡ周期性を適応させ得る。たとえば、１５１０において、ＵＥは、無認可無線周波数スペクトルにおいてフレームのための新しいＴＤＤ構成を示す送信を受信し、ＣＵＢＳを用いたＣＣＡ１５０４のために新しいＣＣＡ周期性を適応させる。
【０１０３】
[0123]ＵＥは前もってデータトラフィックを知らないことがあるので、ＵＥは、最も短いフレーム持続時間を有するフレーム構造を使用する送信を可能にするために、最も短いフレーム持続時間に一致するＣＣＡ周期性を適応させ得る。たとえば、ＵＥは、ｅＮＢとＵＥとの間で通信するために使用される複数のフレーム構造の最も短いフレーム持続時間に等しいＣＣＡ周期性を適応させ得る。
【０１０４】
[0124]図１６は、本開示の態様による、フレーム構造変更を示すための様々な信号とともに適応フレーム構造を利用するセルにおける送信のための例示的なタイムライン１６００を示す。各ＣＥＴにおいて、１６０２におけるように、好ましいフレーム構造がブロードキャストされ得る。好ましいアップリンク／ダウンリンク比またはＣＣＡ優先度もブロードキャストされ得る。別の態様では、フレームのフレーム構造を示すために、１６０４におけるように、各フレームの最初に、または各フレームの前に共通制御信号が送られ得る。共通制御信号は動的指示であり得、事業者に関連するすべてのユーザにマルチキャストされ得る。キャリアアグリゲーションを使用するシステムでは、ＰＣＣ上のアグリゲートされたキャリアのすべてのために制御シグナリングが実施され得る。たとえば、セルは、認可無線周波数スペクトル中のＰＣＣと、認可無線周波数スペクトル中のＳＣＣと、無認可無線周波数スペクトル中のＳＣＣとのキャリアアグリゲーションを使用し得る。本例では、セルは、ＰＣＣ上で送信される制御シグナリングを使用して、ＰＣＣおよび両方のＳＣＣ上で送信をスケジュールし得る。
【０１０５】
[0125]図１７は、本開示の態様に従って、１次コンポーネントキャリア上でＴＤＤを利用し、アンカーサブフレーム１７０２と参照サブフレーム１７０４とを含む、２次ダウンリンク（ＳＤＬ）として利用される２次コンポーネントキャリア上で無認可無線周波数スペクトルを使用してワイヤレス通信のために適応フレーム構造を利用するセルのための送信の例示的なタイムライン１７００を示す。異なるＴＤＤ構成におけるアンカーサブフレームは、ＳＤＬ上でＨＡＲＱをサポートし得る。たとえば、セルは、無認可無線周波数スペクトルを使用してＳＤＬを構成し、１次コンポーネントキャリア上でｅＩＭＴＡを実施し得る。本例では、セルは、１次コンポーネントキャリア上のアンカーサブフレーム中で、ＳＤＬ上での送信について、ＨＡＲＱ  ＡＣＫ／ＮＡＫを受信し得る。さらに本例では、ＵＥは、ＨＡＲＱ  ＡＣＫ／ＮＡＫが常に最小の干渉に遭遇するように、アンカーサブフレーム中ですべてのＨＡＲＱ  ＡＣＫ／ＮＡＫを送信するように構成され得る。別の態様では、ＴＤＤ構成の共通サブセットからの参照サブフレーム（たとえば、参照サブフレーム構成からのＵＬサブフレーム）は、ＳＤＬ上でＨＡＲＱをサポートし得る。
【０１０６】
[0126]いくつかの態様によれば、無認可無線スペクトルにおけるコンポーネントキャリア中のフレームは、完全にダウンリンク送信のために、または完全にアップリンク送信のために使用され得る。ＢＳは、フレーム中にダウンリンク送信のためにコンポーネントキャリアが利用可能であるかどうかを決定するために、フレームの最初にダウンリンクＣＣＡを実施し得る。ＢＳは、ＣＣＡの成功した完了時に、チャネル使用ビーコン信号（ＣＵＢＳ）を送信し得る。ＵＥおよび他のＢＳによるＣＵＢＳの受信により、それらのＵＥおよびＢＳによって実施されるＣＣＡは、チャネルが占有されていることを示し得る。
【０１０７】
[0127]いくつかの態様によれば、異なる事業者によって動作される基地局は、無認可無線周波数スペクトル中で同じフレーム境界を使用し得る。同じフレーム境界を使用することによって、ＢＳは、同じタイムライン上でＣＣＡを実施することを可能にされ得る。さらに、これらの事業者によって制御されるＢＳは、隣接ＢＳと同じ様式でアップリンクまたはダウンリンクのためにフレームを使用することを可能にされ得る。これは、無認可無線周波数スペクトルにおいてｅＮＢ−ｅＮＢ、ＵＥ−ＵＥ、およびｅＮＢ−ＵＥの干渉を低減し得る。
【０１０８】
[0128]いくつかの態様によれば、異なる事業者は、他のデバイスがフレーム持続時間中に反対方向に送信するのを阻止するために、フレームのＤＬまたはＵＬ方向を決定するために競合ベースのプロトコルに関与し得る。ＣＣＡ競合は、ＵＬとＤＬの両方について、ならびに異なる事業者についてフレーム境界において実施され得る。これらの態様によれば、どの事業者が無認可共有スペクトル中のチャネルを使用し得るかを解決するために、競合プロセスが使用され得る。競合プロセスは、異なる事業者に優先度を割り当て得る。異なる事業者に割り当てられた優先度により、それらの異なる事業者は、異なる時間にＣＣＡを実施し得る（たとえば、異なる事業者によって実施されるＣＣＡ間の短い時間オフセット）。より高い優先度を有する事業者は、より低い優先度を有する他の事業者よりも早くＣＣＡを開始し得、より早いＣＣＡを実施している事業者は、（たとえば、ＣＵＢＳを送信することによって）チャネルを掌握し、フレーム持続時間中に他の送信が発生するのを防ぎ得る。たとえば、事業者Ａおよび事業者Ｂが、同期されたフレーム境界を使用し、事業者Ａがより高い優先度を有するという事業者Ａと事業者Ｂとの間の合意とともに、事業者Ａおよび事業者Ｂはそれぞれ、無認可無線周波数スペクトルを使用してセル中でＢＳを動作させ得る。本例では、事業者Ａは３０マイクロ秒のＣＣＡオフセットを使用し得るが、事業者Ｂは２０マイクロ秒のＣＣＡオフセットを使用し得る。本例では、事業者ＡのＢＳは、フレーム中で無認可無線周波数スペクトル上での送信をスケジュールし、フレームの開始の３０マイクロ秒前にＣＣＡを開始し得る。さらに本例では、事業者ＢのＢＳも、フレーム中で無認可無線周波数スペクトル上での送信をスケジュールし、フレームの開始の２０マイクロ秒前にＣＣＡを開始し得る。本例では、事業者ＡのＢＳのＣＣＡは、事業者ＢのＢＳのＣＣＡの前に完了し、事業者ＡのＢＳは、（たとえば、ＣＵＢＳを送信することによって）チャネルを掌握して、事業者ＢのＢＳが無認可無線周波数スペクトル上で送信するのを防ぐことができる。
【０１０９】
[0129]いくつかの態様によれば、競合プロセスは、ダウンリンクＣＣＡとアップリンクＣＣＡとに優先度を割り当てることを含み得る。たとえば、ＤＬ  ＣＣＡは、ＵＥがＵＬ  ＣＣＡを完了する前にＢＳがＤＬ  ＣＣＡを実施しＣＵＢＳを送信し得るように、ＵＬ  ＣＣＡに先んじて優先度を付けられ得る。本例では、ＵＬ  ＣＣＡを実施しているＵＥはＣＵＢＳを受信し得、それにより、ＵＥによるＵＬ  ＣＣＡは、チャネルがクリアでないことを示す。
【０１１０】
[0130]いくつかの態様によれば、ＤＬ  ＣＣＡとＵＬ  ＣＣＡとの優先度は調整され得、それにより、ＵＬ  ＣＣＡは、ＤＬ  ＣＣＡが完了する前に完了することが可能になり得る。ＵＬ  ＣＣＡを完了したＵＥはＣＵＢＳを送信し得る。ＤＬ  ＣＣＡを実施している基地局はＣＵＢＳを受信し得、それにより、基地局によるＤＬ  ＣＣＡは、チャネルがクリアでないことを示し得る。たとえば、コアネットワークエンティティは、ネットワーク輻輳により、ＵＬデータのバックログが、ＢＳによってサービスされるＵＥにおいて蓄積していると決定し得る。本例では、コアネットワークは、ＵＬ  ＣＣＡがより高い優先度を有するように、ＤＬ  ＣＣＡとＵＬ  ＣＣＡとの優先度を変更する制御信号をＢＳに送信させ得る。さらに本例では、送信すべきデータをもつＵＥは、ＤＬ  ＣＣＡを実施しているエンティティ（たとえば、フェムトノードおよびリレーノード）の前に、ＵＬ  ＣＣＡを完了し、ＣＵＢＳを送信し得、ＵＥは、送信されるべきデータのＵＥのバックログをクリアするのを助けるために、無認可無線周波数スペクトル中でＵＬ送信を実施することが可能であり得る。
【０１１１】
[0131]いくつかの態様によれば、事業者のためのＣＣＡ機会は、固定のサブフレーム境界とともにＤＬ上で事業者間で共有される。これらの態様によれば、ＵＥは事業者間ＣＣＡを実施し得、この事業者間ＣＣＡが成功した場合、ＵＥは事業者内ＣＣＡを実施し得る。すなわち、ＵＥは、他の事業者がチャネルを使用していることがないと決定するために事業者間ＣＣＡを実施し、次いで、ＵＥおよびＵＥの事業者に関連するＢＳがチャネルを使用していることがないと決定するために事業者内ＣＣＡを実施し得る。別の態様によれば、ＵＬ  ＣＣＡ境界は、事業者にわたって異なり得るが、ＤＬ  ＣＣＡが成功した場合、同じ事業者からのＵＬ  ＣＣＡが可能にされ得るという点で、ＤＬ  ＣＣＡに依存し得る。ただし、ＤＬ  ＣＣＡが失敗した場合、ＵＬ  ＣＣＡは可能にされないことがある。
【０１１２】
[0132]いくつかの態様によれば、無認可無線周波数スペクトルを使用するワイヤレス通信のための適応フレーム構造は、認可無線周波数スペクトル上で実装されるＦＤＤと、無認可無線周波数スペクトル上のＳＤＬとを用いて実装され得る。そのような実装形態は、変動するダウンリンク送信長さを有し得る。ＣＣＡフレーム構造とＤＬ送信持続時間との動的変更は、トラフィック適応、干渉低減、およびレーダー検出のために使用され得る。
【０１１３】
[0133]いくつかの態様によれば、無認可無線周波数スペクトルを使用するワイヤレス通信のための適応フレーム構造は、ｅＩＭＴＡとともに認可無線周波数スペクトル上で実装されるＴＤＤと、無認可無線周波数スペクトル上のＳＤＬとを用いて実装され得る。一態様では、無認可無線周波数スペクトルＳＤＬシグナリングのための参照構成が定義され、シグナリングされ得る。参照構成は、すべてのフレーム中でセル中のＵＥによって使用されるサブフレーム構成であるが、セルのＢＳは、その参照構成と同様であり得る他のサブフレーム構成に切り替わり得る。ＰＣＣの実際のｅＩＭＴＡ構成にかかわらず、無認可無線周波数スペクトルＳＤＬの動作について参照構成に従われ得る。参照構成は更新され、ブロードキャスト、グループキャスト、またはユニキャストシグナリングを通してＵＥにシグナリングされ得る。ＳＤＬの使用は、ＤＬ大量再構成の必要の低減を可能にし得、これは参照構成選択において考慮され得る。いくつかの態様によれば、ｅＮＢは、無認可無線周波数スペクトルがＳＤＬを提供するように、ＰＣＣのためにＵＬ大量ＴＤＤ構成を選択し得る。参照構成は、フレーム中のサブフレームのサブセットの構成であり得、ここにおいて、サブフレームの方向は、ＢＳが選択し得るすべてのＴＤＤ構成に共通である。
【０１１４】
[0134]別の態様では、ｅＩＭＴＡ構成のアンカーサブフレームが、無認可無線周波数スペクトルＳＤＬシグナリングのために使用され得る。アンカーサブフレームは、保証シグナリングを提供し得、選択されたｅＩＭＴＡ構成にかかわらず利用可能であり得る。ＳＤＬは、認可キャリアの動的適応によって影響を直接受けないことがある。ｅＮＢも、ＳＤＬについてＨＡＲＱをサポートするためにアンカーサブフレームを使用し得るが、上記で説明した、ＳＤＬ上でＨＡＲＱをサポートするために参照サブフレームを使用する技法と比較して、効率は低減する。
【０１１５】
[0135]いくつかの態様によれば、無認可無線周波数スペクトルを使用するワイヤレス通信のための適応フレーム構造は、キャリアアグリゲーションとともに実装され得る。これらの態様では、ＰＣＣは認可無線周波数スペクトル中にあり得るが、無認可無線周波数スペクトルは１つまたは複数のＳＣＣを提供する。一態様では、無認可無線周波数スペクトルにおいて使用するための適応フレーム構造の所望の構成のシグナリングは、８０ミリ秒ごとに１回送信され得るＣＥＴ信号中のＳＣＣにおいて実施され得る。別の態様によれば、所望の構成のシグナリングはＰＣＣから実施され得、それにより、８０ミリ秒未満における適応が可能になり得る。
【０１１６】
[0136]態様では、無認可無線周波数スペクトルを使用するワイヤレス通信のための適応フレーム構造は、認可無線周波数スペクトル上で実装されるＦＤＤと、無認可無線周波数スペクトル上で実装されるｅＩＭＴＡを伴うＴＤＤとを用いて、キャリアアグリゲーションで実装され得る。一態様では、ｅＩＭＴＡを用いて動作する無認可無線周波数スペクトル上でのダウンリンク送信とアップリンク送信とのために２つの異なるＣＣＡ期間が実装され得る。ダウンリンクは、効率のためにより長いＣＣＡ期間を使用し得る（たとえば、より長いＣＣＡ期間は、より少数のＣＣＡが実施されることを意味する）が、アップリンクは、両方向において高速適応を可能にするためにより短いＣＣＡ期間を使用し得る（たとえば、ＣＣＡは方向を切り替えるときに使用される）。各ｅＩＭＴＡ適応期間において、ＤＬ／ＵＬ  ＣＣＡ再構成が適用され得る。例示的な設計では、ダウンリンクＣＣＡとアップリンクＣＣＡとのための機会は２ミリ秒の期間で生じるが、対応するＤＬ送信およびＵＬ送信がより低い優先度であるかまたは可能にされないので、いくつかのＤＬ  ＣＣＡおよびＵＬ  ＣＣＡは実施されない。
【０１１７】
[0137]本開示の態様によれば、無認可無線周波数スペクトルにおけるエリア（たとえば、セルまたはより大きい領域）中のｅＩＭＴＡ構成は事業者ごとに実施され得、各事業者は、事業者が使用することになるｅＩＭＴＡ構成を独立して決定し得る。
【０１１８】
[0138]一態様では、ＵＬ  ＣＣＡとＤＬ  ＣＣＡが衝突したとき、送信方向を決定するために、ＰＣＣから新しい構成がシグナリングされ得る。たとえば、あるエリア中のＵＥはＵＬ  ＣＣＡを試み得るが、一方、同じエリア中のｅＮＢはＤＬ  ＣＣＡを試みており、ＵＬ  ＣＣＡとＤＬ  ＣＣＡは衝突し得、したがって、ＵＬ送信もＤＬ送信も行われない。本例では、ｅＮＢは、エリア中で使用されるべき送信方向を決定するために、ＰＣＣ上の信号を使用して新しい構成を送信し得る。
【０１１９】
[0139]一態様によれば、各ｅＩＭＴＡ適応期間のためのダウンリンク／アップリンクトラフィック比がシグナリングされ得る。この態様によれば、ＣＣＡ構成ルールへの比のマッピングが定義され得る。各ｅＩＭＴＡ適応期間において、ＤＬ／ＵＬ  ＣＣＡ再構成が適用され得る。ｅＩＭＴＡ構成は事業者ごとに実施され得、各事業者は、事業者が実装することになるｅＩＭＴＡ構成を独立して決定し得る。例示的な設計では、ダウンリンクおよびアップリンクは、ＬＢＴ手順（たとえば、ＣＣＡ）のために２ミリ秒フレーム構造に従い得る。上記で説明したように、ＣＣＡ機会が衝突したとき、送信方向を決定するためのＰＣＣからの新しい構成のシグナリングが使用され得る。
【０１２０】
[0140]本開示の態様によれば、ＴＤＤは、認可無線周波数スペクトル上のコンポーネントキャリア（ＣＣ）中で、および無認可無線周波数スペクトル上のコンポーネントキャリア中で実装され得る。ＴＤＤコンポーネントキャリアの一方または両方がｅＩＭＴＡを実装し得る。認可無線周波数スペクトル上のコンポーネントキャリア中でｅＩＭＴＡを利用する態様では、無認可無線周波数スペクトルＴＤＤ  ＣＣのＨＡＲＱおよび制御シグナリングのために参照構成のサブフレームまたはアンカーサブフレームが使用され得る。無認可無線周波数スペクトル上のコンポーネントキャリア中でｅＩＭＴＡを利用する態様では、無認可無線周波数スペクトルｅＩＭＴＡ  ＣＣについてＨＡＲＱを処理するために認可無線周波数スペクトル中のＴＤＤ  ＣＣが使用され得る。認可無線周波数スペクトルコンポーネントキャリアと無認可無線周波数スペクトルコンポーネントキャリアの両方の上でｅＩＭＴＡを利用する態様では、認可無線周波数スペクトルＴＤＤ  ＣＣと、無認可無線周波数スペクトルＴＤＤ  ＣＣの両方は、同じ構成を有し得る。
【０１２１】
[0141]本開示の態様によれば、無認可無線周波数スペクトルを使用するワイヤレス通信のための適応フレーム構造はまた、スタンドアロン（ＳＡ）無認可無線周波数スペクトルシナリオにおいて実装され得る。例示的なＳＡシナリオは、無認可無線周波数スペクトルにおいてｅＩＭＴＡを用いたＳＡキャリアを伴い得る。例示的なＳＡ設計は、ＣＣＡを免除された送信（ＣＥＴ）チャネル上でのｅＩＭＴＡ  ＤＬ／ＵＬ比またはＣＣＡ優先度のシグナリングが８０ミリ秒ごとに１回実施され得ることを除いて、上記で説明したＣＡ設計と同様であり得る。例示的なＳＡ設計では、ＵＥは、ＤＬ／ＵＬ比および／またはＣＣＡ優先度を調整するためにＣＥＴを監視し得る。ダウンリンク／アップリンクＣＣＡ優先度は、たとえば、許容または不許可された送信に基づいて調整され得る。すなわち、（たとえば、チャネルが占有されたことを示すＣＣＡにより）最近の時間期間において不相応な数のＵＬ送信が不許可されたときにＵＬ送信の優先度を上げるために、または最近の時間期間において不相応な数のＤＬ送信が不許可されたときにＤＬ送信の優先度を上げるために、ＢＳは、ＣＥＴ期間中に信号を送信し得る。
【０１２２】
[0142]図１８は、認可無線周波数スペクトル中のコンポーネントキャリアなしでスタンドアロン無認可無線周波数スペクトル上で実装される無認可無線周波数スペクトルを使用してワイヤレス通信のために適応フレーム構造を利用するセルにおける送信のための例示的なタイムライン１８００を示す。例示的なタイムラインにおいて、ＢＳは、ＣＣＡを免除された送信（ＣＥＴ）期間１８０２中に、無認可無線周波数スペクトルにおいて１つまたは複数のコンポーネントキャリアについて選択されたフレーム構造をシグナリングする、発展型物理ブロードキャストチャネル（ＥＰＢＣＨ）を送信する。図示のように、ＣＥＴは８０ミリ秒ごとに１回生じ得る。一態様では、ＢＳは１０個のサブフレームのＣＣＡ期間を使用し得るが、ＵＥは２つのサブフレームのＣＣＡ期間を使用し得、ここで、ＵＥによるリアルＣＣＡ（たとえば、ＵＬ  ＣＣＡ）の周期性は、たとえば、データトラフィックに応じて変化し得る。すなわち、他の態様と同様に、ＢＳは１０個のサブフレームごとにＤＬ  ＣＣＡ１８０４を実施し得るが、ＵＥは２つのサブフレームごとにＵＬ  ＣＣＡを実施し得る。ＵＬ  ＣＣＡは、ＵＬ仮想ＣＣＡ１８０６と、ＣＵＢＳを用いたＵＬ  ＣＣＡ１８０８と、ＣＵＢＳを用いないＵＬ  ＣＣＡ１８１０とを備え得る。ＵＬ  ＣＣＡの各タイプの周期性は、たとえば、送信パーミッションに応じて変化し得、ＵＥは、それの構成されたＣＣＡ周期性に従ってＣＣＡ（たとえば、仮想ＣＣＡ、ＣＵＢＳを用いたＣＣＡ、またはＣＵＢＳを用いないＣＣＡ）を実施する。
【０１２３】
[0143]図１９は、本開示の態様による、ｅＩＭＴＡおよび可変ＣＣＡ期間を用いてスタンドアロン無認可無線周波数スペクトル上で実装されるワイヤレス通信のために適応フレーム構造を利用するセルにおける送信のための例示的なタイムライン１９００を示す。例示的なタイムラインにおいて、ＢＳは、ＣＣＡを免除された送信（ＣＥＴ）期間１９０２中に、無認可無線周波数スペクトルにおいて１つまたは複数のコンポーネントキャリアについてＤＬ／ＵＬサブフレーム比あるいは選択されたフレーム構造をシグナリングする、発展型物理ブロードキャストチャネル（ＥＰＢＣＨ）を送信する。図示のように、ＣＥＴは８０ミリ秒ごとに１回生じ得る。図１８に関して上記で説明したように、ＢＳは、１０個のサブフレームごとにＤＬ  ＣＣＡ１９０４を実施し得る。一態様では、ＵＥ  ＣＣＡ周期性は、上記で説明したように、固定でないことがあり、変動し得る。たとえば、ＵＥは、（たとえば、ＵＥによるスケジュールされた送信に基づいて）アップリンク動作をいつ実施すべきかを決定し得、それに応じてＵＥのＣＣＡ周期性を変化させ得る。例示的なタイムライン１９００において、ＵＥは、各フレームの第１のＵＬサブフレーム中でＵＬ送信を送信するようにスケジュールされ、したがって、フレーム持続時間に等しいＣＣＡ周期性を使用して、ＣＵＢＳを用いたＵＬ  ＣＣＡ１９０６を１０ｍｓごとに１回送信する。また、ＵＥは、１９０８に示されているように、あるフレーム構成から異なるフレーム構成への遷移中にＣＣＡ周期性を調整し得る。ＵＥはまた、あるＴＤＤ構成から別のＴＤＤ構成への遷移中にＵＥのアップリンクＣＣＡ期間を調整し得る。
【０１２４】
[0144]図２０は、無認可無線周波数スペクトルを使用するワイヤレス通信のための適応フレーム構造のために構成されたＵＥ１２０の一例を示す。ＵＥ１２０は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲーミングコンソール、電子リーダなどの中に含まれるかまたはそれらの一部であり得る。ＵＥ１２０は、モバイル動作を可能にするために、小型バッテリなどの内部電源（図示せず）を有し得る。ＵＥ１２０は、図１〜図１９に関して上記で説明した特徴および機能のうちの少なくともいくつかを実装するように構成され得る。たとえば、ＵＥ１２０は、図１０および図１３に記載された動作を実施することが可能であり得る。
【０１２５】
[0145]ＵＥ１２０は、プロセッサモジュール２０１０と、メモリモジュール２０２０と、トランシーバモジュール２０４０と、アンテナ２０５０と、ＵＥモードモジュール２０６０とを含み得る。これらの構成要素の各々は、１つまたは複数のバス２００５を介して、直接的または間接的に互いに通信していることがある。
【０１２６】
[0146]メモリモジュール２０２０は、ランダムアクセスメモリ（ＲＡＭ）と読取り専用メモリ（ＲＯＭ）とを含み得る。メモリモジュール２０２０は、実行されたとき、無認可チャネルにおいてＬＴＥベース通信を使用するための本明細書で説明する様々な機能をプロセッサモジュール２０１０に実施させるように構成された命令を含んでいるコンピュータ可読、コンピュータ実行可能ソフトウェア（ＳＷ）コード２０２５を記憶し得る。代替的に、ソフトウェアコード２０２５は、プロセッサモジュール２０１０によって直接的に実行可能でないことがあるが、（たとえば、コンパイルされ実行されたとき）本明細書で説明する機能をコンピュータに実施させるように構成され得る。
【０１２７】
[0147]プロセッサモジュール２０１０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール２０１０は、トランシーバモジュール２０４０を通じて受信された情報、および／またはアンテナ２０５０を介する送信のためにトランシーバモジュール２０４０に送信されるべき情報を処理し得る。プロセッサモジュール２０１０は、単独でまたはＵＥモードモジュール２０６０とともに、無認可チャネルにおいてＬＴＥベース通信を使用する様々な態様を処理し得る。
【０１２８】
[0148]トランシーバモジュール２０４０は、基地局（たとえば、基地局１１０）と双方向に通信するように構成され得る。トランシーバモジュール２０４０は、１つまたは複数の送信機モジュールおよび１つまたは複数の別個の受信機モジュールとして実装され得る。トランシーバモジュール２０４０は、認可無線周波数スペクトル中でのおよび無認可無線周波数スペクトル中での通信をサポートし得る。トランシーバモジュール２０４０は、パケットを変調し、変調されたパケットを送信のためにアンテナ２０５０に与え、アンテナ２０５０から受信されたパケットを復調するように構成されたモデムを含み得る。ＵＥ１２０は単一のアンテナを含み得るが、ＵＥ１２０が複数のアンテナ２０５０を含む実施形態があり得る。
【０１２９】
[0149]図２０のアーキテクチャによれば、ＵＥ１２０は通信管理モジュール２０３０をさらに含み得る。通信管理モジュール２０３０は様々なアクセスポイントとの通信を管理し得る。通信管理モジュール２０３０は、１つまたは複数のバス２００５を介してＵＥ１２０の他の構成要素の一部または全部と通信しているＵＥ１２０の構成要素であり得る。代替的には、通信管理モジュール２０３０の機能は、トランシーバモジュール２０４０の構成要素として、コンピュータプログラム製品として、および／またはプロセッサモジュール２０１０の１つまたは複数のコントローラ要素として実装され得る。
【０１３０】
[0150]ＵＥモードモジュール２０６０は、図１３に関しておよび無認可チャネルにおいてＬＴＥベース通信を使用することに関して説明した機能または態様の一部または全部を実施および／または制御するように構成され得る。たとえば、ＵＥモードモジュール２０６０は、補助ダウンリンクモード、キャリアアグリゲーションモード、および／またはスタンドアロンモードをサポートするように構成され得る。ＵＥモードモジュール２０６０は、認可無線周波数スペクトルにおいてＬＴＥ通信を処理するように構成されたＬＴＥモジュール２０６１と、無認可無線周波数スペクトルにおけるＬＴＥ以外のＬＴＥ通信および通信を処理するように構成された無認可無線周波数モジュール２０６２とを含み得る。ＵＥモードモジュール２０６０、またその部分は、プロセッサであり得る。その上、ＵＥモードモジュール２０６０の機能の一部または全部は、プロセッサモジュール２０１０によって、および／またはプロセッサモジュール２０１０とともに実施され得る。
【０１３１】
[0151]図２１を参照すると、無認可無線周波数スペクトルを使用するワイヤレス通信のための適応フレーム構造のために構成された基地局またはｅＮＢ１１０ａを示す図２１００が示されている。ｅノードＢ１１０ａは、図１〜図１９に関して上記で説明した特徴および機能のうちの少なくともいくつかを実装するように構成され得る。たとえば、ｅノードＢ１１０ａは、図１０〜図１１に示された動作を実施することが可能であり得る。ｅノードＢ１１０ａは、プロセッサモジュール２１１０と、メモリモジュール２１２０と、トランシーバモジュール２１３０と、アンテナ２１４０と、基地局モードモジュール２１９０とを含み得る。基地局１１０はまた、基地局通信モジュール２１６０およびネットワーク通信モジュール２１７０のうちの一方または両方を含み得る。これらの構成要素の各々は、１つまたは複数のバス２１０５を介して、直接的または間接的に互いに通信していることがある。
【０１３２】
[0152]メモリモジュール２１２０は、ＲＡＭとＲＯＭとを含み得る。メモリモジュール２１２０はまた、実行されたとき、無認可チャネルにおいてＬＴＥベース通信を使用するための本明細書で説明する様々な機能をプロセッサモジュール２１１０に実施させるように構成された命令を含んでいるコンピュータ可読、コンピュータ実行可能ソフトウェア（ＳＷ）コード２１２５を記憶し得る。代替的に、ソフトウェアコード２１２５は、プロセッサモジュール２１１０によって直接的に実行可能でないことがあるが、たとえば、コンパイルされ実行されたとき、本明細書で説明する機能をコンピュータに実施させるように構成され得る。
【０１３３】
[0153]プロセッサモジュール２１１０は、インテリジェントハードウェアデバイス、たとえば、ＣＰＵ、マイクロコントローラ、ＡＳＩＣなどを含み得る。プロセッサモジュール２１１０は、トランシーバモジュール２１３０、基地局通信モジュール２１６０、および／またはネットワーク通信モジュール２１７０を通して受信された情報を処理し得る。プロセッサモジュール２１１０はまた、アンテナ２１４０を通した送信のためにトランシーバモジュール２１３０に、基地局通信モジュール２１６０に、および／またはネットワーク通信モジュール２１７０に送られるべき情報を処理し得る。プロセッサモジュール２１１０は、単独でまたは基地局モードモジュール２１９０とともに、無認可チャネルにおいてＬＴＥベース通信を使用する様々な態様を処理し得る。
【０１３４】
[0154]トランシーバモジュール２１３０は、パケットを変調して、変調されたパケットを送信のためにアンテナ２１４０に与え、アンテナ２１４０から受信されたパケットを復調するように構成されたモデムを含み得る。トランシーバモジュール２１３０は、１つまたは複数の送信機モジュールおよび１つまたは複数の別個の受信機モジュールとして実装され得る。トランシーバモジュール２１３０は、認可無線周波数スペクトル中でのおよび無認可無線周波数スペクトル中での通信をサポートし得る。トランシーバモジュール２１３０は、アンテナ２１４０を介して１つまたは複数のＵＥ１２０と双方向に通信するように構成され得る。ｅノードＢ１１０ａは、通常、複数のアンテナ２１４０（たとえば、アンテナアレイ）を含み得る。ｅノードＢ１１０ａは、ネットワーク通信モジュール２１７０を通してネットワークコントローラ１３０−ａと通信し得る。ｅノードＢ１１０ａは、基地局通信モジュール２１６０を使用して、ｅノードＢ１１０ｂおよびｅノードＢ１１０ｃなどの他の基地局と通信し得る。
【０１３５】
[0155]図２１のアーキテクチャによれば、ｅノードＢ１１０ａは通信管理モジュール２１５０をさらに含み得る。通信管理モジュール２１５０は、局および／または他のデバイスとの通信を管理し得る。通信管理モジュール２１５０は、１つまたは複数のバス２１０５を介してｅノードＢ１１０ａの他の構成要素の一部または全部と通信していることがある。代替的に、通信管理モジュール２１５０の機能は、トランシーバモジュール２１３０の構成要素として、コンピュータプログラム製品として、および／またはプロセッサモジュール２１１０の１つまたは複数のコントローラ要素として実装され得る。
【０１３６】
[0156]基地局モードモジュール２１９０は、無認可チャネルにおいてＬＴＥベース通信を使用することに関して図１０〜図１１において説明した機能または態様の一部または全部を実施および／または制御するように構成され得る。たとえば、基地局モードモジュール２１９０は、補助ダウンリンクモード、キャリアアグリゲーションモード、および／またはスタンドアロンモードをサポートするように構成され得る。基地局モードモジュール２１９０は、認可無線周波数スペクトルにおいてＬＴＥ通信を処理するように構成されたＬＴＥモジュール２１９１と、無認可無線周波数スペクトルにおいてＬＴＥ通信を処理するように構成された無認可無線周波数スペクトルモジュール２１９２とを含み得る。基地局モードモードモジュール２１９０、またその部分は、プロセッサであり得る。その上、基地局モードモジュール２１９０の機能の一部または全部は、プロセッサモジュール２１１０によって、および／またはプロセッサモジュール２１１０とともに実施され得る。
【０１３７】
[0157]当業者であれば、情報および信号は、様々な異なる技術および技法のいずれかを使用して表され得ることを理解されよう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【０１３８】
[0158]本明細書の開示に関連して説明した様々な例示的な論理ブロック、モジュール、回路、およびアルゴリズムステップは、電子ハードウェア、コンピュータソフトウェア、または両方の組合せとして実装され得ることを当業者ならさらに諒解されよう。ハードウェアとソフトウェアのこの互換性を明確に示すために、様々な例示的な構成要素、ブロック、モジュール、回路、およびステップについて、上記では概してそれらの機能に関して説明した。そのような機能性がハードウェアとして実装されるか、またはソフトウェアとして実装されるかは、システム全体に課される特定のアプリケーションおよび設計制約に依存する。当業者は、説明した機能を特定の適用例ごとに様々な方法で実装し得るが、そのような実装の決定は、本開示の範囲からの逸脱を生じるものと解釈されるべきではない。
【０１３９】
[0159]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実行され得る。汎用プロセッサはマイクロプロセッサであり得るが、代替実施形態では、プロセッサは、任意の従来型プロセッサ、コントローラ、マイクロコントローラ、または状態機械であり得る。プロセッサはまた、コンピューティングデバイスの組合せ、たとえばＤＳＰとマイクロプロセッサの組合せ、複数のマイクロプロセッサ、１つまたは複数のマイクロプロセッサとＤＳＰコア、あるいは任意の他のそのような構成として実装され得る。
【０１４０】
[0160]本明細書の開示に関して説明した方法またはアルゴリズムのステップは、直接ハードウェアで具現化されるか、プロセッサによって実行されるソフトウェアモジュールで具現化されるか、またはその２つの組合せで具現化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるようにプロセッサに結合される。代替として、記憶媒体はプロセッサと一体であり得る。プロセッサおよび記憶媒体はＡＳＩＣ中に存在し得る。ＡＳＩＣはユーザ端末中に存在し得る。代替として、プロセッサおよび記憶媒体は、ユーザ端末中の個別構成要素として存在し得る。
【０１４１】
[0161]１つまたは複数の例示的な設計では、説明した機能は、ハードウェア、ソフトウェア、ファームウェア、またはそれらの任意の組合せで実装され得る。ソフトウェアで実装された場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。また、いかなる接続もコンピュータ可読媒体と適切に呼ばれる。たとえば、同軸ケーブル、光ファイバーケーブル、ツイストペア、デジタル加入者線（「ＤＳＬ」）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびＢｌｕ−ｒａｙディスク（disc）を含み、ディスク（disk）は通常、データを磁気的に再生し、ディスク（disc）は、データをレーザーで光学的に再生する。上記の組合せもコンピュータ可読媒体の範囲内に含まれるべきである。
【０１４２】
[0162]本明細書で使用する「ａまたはｂのうちの少なくとも１つ」という表現は、ａ、ｂ、またはａとｂの両方の組合せを含むように意図されている。
【０１４３】
[0163]本開示についての以上の説明は、いかなる当業者でも本開示を作製または使用することができるように提供されたものである。本開示に対する様々な修正は当業者には容易に明らかとなり、本明細書で定義される一般原理は、本開示の精神または範囲から逸脱することなく他の変形形態に適用され得る。したがって、本開示は、本明細書で説明した例および設計に限定されるものではなく、本明細書で開示される原理および新規の特徴に合致する最も広い範囲を与えられるべきである。
以下に、本願出願の当初の特許請求の範囲に記載された発明を付記する。
［Ｃ１］
通信のために使用されるフレーム構造を決定することと、ここにおいて、前記決定されたフレーム構造が、通信のために使用され得る複数のフレーム構造のうちの１つであり、およびここにおいて、前記複数のフレーム構造の各々が異なるフレーム持続時間を有する、
前記決定されたフレーム構造を使用して装置と通信することと、
を備える、ワイヤレス通信のための方法。
［Ｃ２］
１つまたは複数のネットワーク状態を決定することをさらに備え、
ここにおいて、前記フレーム構造が、前記１つまたは複数のネットワーク状態に少なくとも部分的に基づいて決定される、
Ｃ１に記載の方法。
［Ｃ３］
前記１つまたは複数のネットワーク状態に少なくとも部分的に基づいて前記フレーム構造のサブフレーム構成を構成することをさらに備える、Ｃ２に記載の方法。
［Ｃ４］
前記１つまたは複数のネットワーク状態が、ネットワークトラフィック状態と、干渉状態と、レーダー検出とのうちの少なくとも１つを備える、Ｃ２に記載の方法。
［Ｃ５］
前記フレーム構造の１つまたは複数のサブフレーム中で前記装置と通信することより前にクリアチャネルアセスメントを実施することをさらに備える、Ｃ２に記載の方法。
［Ｃ６］
前記複数のフレーム構造のうちの最も短い長さのフレーム構造に少なくとも部分的に基づいてクリアチャネルアセスメント（ＣＣＡ）周期性を決定することをさらに備える、Ｃ５に記載の方法。
［Ｃ７］
クリアチャネルアセスメント（ＣＣＡ）周期性を決定することをさらに備え、ここにおいて、前記決定されたＣＣＡ周期性が前記装置のＣＣＡ周期性とは異なる、Ｃ５に記載の方法。
［Ｃ８］
前記フレーム構造の１つまたは複数のサブフレーム中で前記装置と通信することより前に送信パーミッションを決定することをさらに備える、Ｃ５に記載の方法。
［Ｃ９］
前記クリアチャネルアセスメントがフレーム境界からのオフセット値に基づいて実施され、異なる送信エンティティに異なる優先度を与えるために異なるオフセット値が割り当てられる、Ｃ５に記載の方法。
［Ｃ１０］
前記決定されたフレーム構造の指示を前記装置に通信することをさらに備える、Ｃ１に記載の方法。
［Ｃ１１］
前記指示が、クリアチャネルアセスメントを免除された送信と、共通制御信号と、１次コンポーネントキャリアとのうちの少なくとも１つを介して通信される、Ｃ１０に記載の方法。
［Ｃ１２］
前記フレーム構造の１つまたは複数のサブフレーム中で前記装置からフィードバックを受信することまたは前記装置にフィードバックを送信することをさらに備える、Ｃ１に記載の方法。
［Ｃ１３］
前記１つまたは複数のサブフレームが、
参照サブフレーム構成におけるサブフレームと同じアップリンクまたはダウンリンク方向を有するサブフレームと、
複数の利用可能なサブフレーム構成の各々においてアップリンクサブフレームとして指定されるサブフレームと
のうちの少なくとも１つを備える、Ｃ１２に記載の方法。
［Ｃ１４］
複数のフレーム構造の各々は、すべてのサブフレームがアップリンクサブフレームであることまたはすべてのサブフレームがダウンリンクサブフレームであることのいずれかを有し、前記フレーム構造が、クリアチャネルアセスメント（ＣＣＡ）競合プロセスに基づいて決定される、Ｃ１に記載の方法。
［Ｃ１５］
前記装置が基地局（ＢＳ）を備え、
前記決定が、前記基地局から受信されたシグナリングに基づく、
Ｃ１に記載の方法。
［Ｃ１６］
ワイヤレス通信のための装置であって、
通信のためのフレーム構造を決定することと、ここにおいて、前記決定されたフレーム構造が、通信のために使用され得る複数のフレーム構造のうちの１つであり、およびここにおいて、前記複数のフレーム構造の各々が異なるフレーム持続時間を有する、
前記決定されたフレーム構造を使用して他の装置と通信することと
を行うように構成されたプロセッサと、
前記プロセッサに結合されたメモリと
を備える、装置。
［Ｃ１７］
前記プロセッサが、
１つまたは複数のネットワーク状態を決定することと、
前記１つまたは複数のネットワーク状態に少なくとも部分的に基づいて前記フレーム構造を決定することと
を行うようにさらに構成された、Ｃ１６に記載の装置。
［Ｃ１８］
前記プロセッサが、前記１つまたは複数のネットワーク状態に少なくとも部分的に基づいて前記フレーム構造のサブフレーム構成を構成するようにさらに構成された、Ｃ１７に記載の装置。
［Ｃ１９］
前記１つまたは複数のネットワーク状態が、ネットワークトラフィック状態と、干渉状態と、レーダー検出とのうちの少なくとも１つを備える、Ｃ１７に記載の装置。
［Ｃ２０］
前記プロセッサが、前記フレーム構造の１つまたは複数のサブフレーム中で前記他の装置と通信することより前にクリアチャネルアセスメント（ＣＣＡ）を実施するようにさらに構成された、Ｃ１７に記載の装置。
［Ｃ２１］
前記プロセッサが、前記複数のフレーム構造のうちの最も短い長さのフレーム構造に少なくとも部分的に基づいてクリアチャネルアセスメント（ＣＣＡ）周期性を決定するようにさらに構成された、Ｃ２０に記載の装置。
［Ｃ２２］
前記プロセッサが、クリアチャネルアセスメント（ＣＣＡ）周期性を決定するようにさらに構成され、ここにおいて、前記決定されたＣＣＡ周期性が前記他の装置のＣＣＡ周期性とは異なる、Ｃ２０に記載の装置。
［Ｃ２３］
前記プロセッサが、前記フレーム構造の１つまたは複数のサブフレーム中で前記他の装置と通信することより前に送信パーミッションを決定するようにさらに構成された、Ｃ２０に記載の装置。
［Ｃ２４］
前記クリアチャネルアセスメントがフレーム境界からのオフセット値に基づいて実施され、異なる送信エンティティに異なる優先度を与えるために異なるオフセット値が割り当てられる、Ｃ２０に記載の装置。
［Ｃ２５］
前記プロセッサが、前記決定されたフレーム構造の指示を前記他の装置に通信するようにさらに構成された、Ｃ１６に記載の装置。
［Ｃ２６］
前記指示が、クリアチャネルアセスメントを免除された送信と、共通制御信号と、１次コンポーネントキャリアとのうちの少なくとも１つを介して通信される、Ｃ２５に記載の装置。
［Ｃ２７］
前記プロセッサが、前記フレーム構造の１つまたは複数のサブフレーム中で前記他の装置からフィードバックを受信するようにまたは前記他の装置にフィードバックを送信するようにさらに構成された、Ｃ１６に記載の装置。
［Ｃ２８］
前記１つまたは複数のサブフレームが、
参照サブフレーム構成におけるサブフレームと同じアップリンクまたはダウンリンク方向を有するサブフレームと、
複数の利用可能なサブフレーム構成の各々においてアンカーサブフレームとして指定されるサブフレームと、
のうちの少なくとも１つを備える、Ｃ２７に記載の装置。
［Ｃ２９］
データ通信のために使用される複数のフレーム構造からフレーム構造を決定するための手段と、ここにおいて、前記複数のフレーム構造の各々が異なるフレーム持続時間を有する、
前記決定されたフレーム構造を使用して装置と通信するための手段と、
を備える、ワイヤレス通信のための装置。
［Ｃ３０］
データ通信のために使用される複数のフレーム構造からフレーム構造を決定するためのコードと、ここにおいて、前記複数のフレーム構造の各々が異なるフレーム持続時間を有する、
前記決定されたフレーム構造を使用して装置と通信するためのコードと、
を備える、ワイヤレス通信のためのコンピュータ実行可能コードを記憶したコンピュータ可読媒体。
【図１】
0006444995.tif 000002
【図２】
0006444995.tif 000003
【図３】
0006444995.tif 000004
【図４】
0006444995.tif 000005
【図５】
0006444995.tif 000006
【図６】
0006444995.tif 000007
【図７】
0006444995.tif 000008
【図８】
0006444995.tif 000009
【図９】
0006444995.tif 000010
【図１０】
0006444995.tif 000011
【図１１】
0006444995.tif 000012
【図１２】
0006444995.tif 000013
【図１３】
0006444995.tif 000014
【図１４】
0006444995.tif 000015
【図１５】
0006444995.tif 000016
【図１６】
0006444995.tif 000017
【図１７】
0006444995.tif 000018
【図１８】
0006444995.tif 000019
【図１９】
0006444995.tif 000020
【図２０】
0006444995.tif 000021
【図２１】
0006444995.tif 000022